(57)【特許請求の範囲】
【請求項１】
通信システム内のユーザデバイスの位置特定に関連する情報を与えるための基地局であって、該基地局は、
前記ユーザデバイスに、中継ノードによって運用されるセルを介して前記通信システムへのアクセスを与えるように該中継ノードと協働する手段と、
前記セルが移動セルとして構成されるか否かの指示を得る手段と、
前記セルが移動セルとして構成されるときに、該セルが移動セルとして構成されることを指示する情報を位置特定サービスサーバに与える手段と、
を備える、基地局。
【請求項２】
前記与える手段は、前記協働する手段が前記中継ノードと協働をやめるのに応答して、前記セルが前記基地局ともはや協働しないことを指示する更新された情報を与えるように動作可能である、請求項１に記載の基地局。
【請求項３】
前記与える手段は、前記中継ノードを識別する情報及び／又は前記セルを識別する情報を与えるように動作可能であり、
前記得る手段は、前記セルを識別する前記情報を、移動セルのリストを識別する情報と比較し、それにより、前記セルが移動セルとして構成されるか否かを判定するように動作可能である、請求項１に記載の基地局。
【請求項４】
前記得る手段は、前記中継ノードから直接に、又は間接的に、前記セルが移動セルとして構成されるか否かの前記指示を得るように動作可能である、請求項１又は２に記載の基地局。
【請求項５】
前記与える手段は、別のネットワークエンティティを介して、前記セルが移動セルとして構成されることを指示する前記情報を与えるように動作可能である、請求項１〜４のいずれか一項に記載の基地局。
【請求項６】
通信システム内のユーザデバイスの位置特定に関連する情報を与えるための中継ノードであって、該中継ノードは移動中継ノードとして動作可能であり、該中継ノードは、
基地局と協働する手段と、
前記ユーザデバイスに、前記通信システムへのアクセスを与えるために少なくとも１つのセルを運用する手段と、
該中継ノードが移動中継ノードとして動作しているときに、前記少なくとも１つのセルが移動セルとして構成されることを指示する情報を与える手段と、
を備える、中継ノード。
【請求項７】
前記与える手段は、前記中継ノードを識別する情報及び／又は前記少なくとも１つのセルを識別する情報を与えるように動作可能であり、
前記中継ノードを識別する前記情報は、前記中継ノードをターゲット通信デバイスとして識別するための識別子を含み、及び／又は前記少なくとも１つのセルを識別する前記情報は、セル識別子を含み、及び／又は前記セルが移動セルとして構成されることを指示する前記情報は、「移動セル指示」情報要素を含む、請求項６に記載の中継ノード。
【請求項８】
前記与える手段は、
i）前記中継ノードが前記基地局を介して、前記ユーザデバイスの位置特定に関連する情報を与える要求を受信するのに応答して、前記少なくとも１つのセルが移動セルとして構成されることを指示する前記情報を与える、
ii）前記ユーザデバイスを識別する情報を与える、
iii）前記協働する手段が前記基地局と協働するのに応答して、前記少なくとも１つのセルが移動セルとして構成されることを指示する前記情報を与える、及び／又は
iv）前記少なくとも１つのセルの構成が変化し、移動セルとして構成されるのに応答して、前記セルが移動セルとして構成されることを指示する前記情報を与える、
の少なくとも１つをするように動作可能である、請求項６又は７に記載の中継ノード。
【請求項９】
前記中継ノード及び／又は前記ユーザデバイスのための位置特定関連データを得る手段を更に備え、
前記中継ノードは移動中継ノードであり、前記位置特定関連データを得る手段は、位置特定サービスサーバに、前記中継ノード及び／又は該中継ノードが運用する前記少なくとも１つのセルの現在の位置を判定する際に前記位置特定サービスサーバによって使用するための前記中継ノードの現在の場所に関連する情報を与え、それにより、前記中継ノード及び／又は前記少なくとも１つのセルの前記現在の位置に基づいて前記ユーザデバイスの位置を判定するように動作可能である、請求項６〜８のいずれか一項に記載の中継ノード。
【請求項１０】
前記与える手段は、少なくとも１つのメッセージを用いて、前記セルが移動セルとして構成されることを指示する前記情報を与えるように動作可能であり、
前記少なくとも１つのメッセージは、ＬＴＥ（長期発展型）位置決めプロトコル「ＬＰＰ」メッセージ、ＬＴＥ位置決めプロトコルアネックス「ＬＰＰａ」メッセージ、及び無線リソース制御「ＲＲＣ」プロトコルメッセージのうちの少なくとも１つを含み、
前記少なくとも１つのメッセージは、「Ｅ−ＣＩＤ測定開始応答」、「ＯＴＤＯＡ情報応答」、「機能提供」メッセージ、「移動セル情報」メッセージ、「移動セル情報応答」、「Ｅ−ＣＩＤ測定開始失敗」、「ＯＴＤＯＡ情報失敗」及び「移動セル位置」メッセージのうちの少なくとも１つを含む、請求項６〜９のいずれか一項に記載の中継ノード。
【請求項１１】
前記通信システムは、ターゲット通信デバイスに関する位置特定関連情報を要求するための位置特定サービスクライアントを更に備える、請求項６〜１０いずれか一項に記載の中継ノード。
【請求項１２】
ターゲットユーザデバイスの位置特定に関連する情報を与えるための位置特定サービスサーバであって、前記ターゲットユーザデバイスは中継ノードによってサービングされ、該位置特定サービスサーバは、
通信システム内のクライアントから前記ターゲットユーザデバイスに関する位置決め要求を受信する手段と、
前記ターゲットユーザデバイスが位置するセルを識別する手段と、
前記要求を受信するのに応答して、前記ターゲットユーザデバイスの位置特定に関連する情報を得るための位置決め手順を開始する手段と、
前記位置決め手順の一部として、前記識別されたセルが移動セルとして構成されるか否かを判定する手段と、
前記位置決め手順の一部として、前記識別されたセルが移動セルとして構成されるか否かに応じて、前記ターゲットユーザデバイスに関する前記位置決め要求に応答する手段と、
を備える、位置特定サービスサーバ。
【請求項１３】
前記ユーザデバイス及び／又は前記移動セルの地理的場所を得る手段と、
前記セルを識別する情報を得る手段と、
の少なくとも１つを更に備え、
前記セルを識別する前記情報は、セル識別子を含む、請求項１２に記載の位置特定サービスサーバ。
【請求項１４】
前記判定する手段は、
ｉ）前記中継ノードが通信システムの基地局及び／又はモビリティ管理エンティティと協働するときに得られた情報に基づいて、前記識別されたセルが移動セルとして構成されるか否かを判定する、及び／又は
ii）前記通信ノードによって、前記中継ノードに送信されるか、又は該中継ノードに関連付けられる基地局及び／又はモビリティ管理エンティティに送信される要求に応答して受信された情報に基づいて、前記識別されたセルが移動セルとして構成されるか否かを判定する、
の少なくとも１つをするように動作可能である、請求項１２又は１３に記載の位置特定サービスサーバ。
【請求項１５】
前記応答する手段は、
i）前記識別されたセルが移動セルとして構成されると判定されたときに、前記クライアントに失敗指示を送信することによって、前記ターゲットユーザデバイスに関する前記位置決め要求に応答する、
ii）前記識別されたセルが移動セルとして構成されると判定されるときに、前記中継ノード及び／又は前記セルの現在の場所を判定することによって、前記ターゲットユーザデバイスに関する前記位置決め要求に応答する、
iii）ａ）前記識別されたセルが移動セルとして構成されると判定されるときに、前記クライアントに、前記中継ノード及び／又は前記セルの前記現在の場所を送信することによって、又はｂ）前記識別されたセルが移動セルとして構成されると判定されるときに、前記中継ノード及び／又は前記セルの前記現在の場所と、前記中継ノード及び／又は前記セルの前記現在の場所に対する前記ターゲットユーザデバイスの位置とに基づいて、前記ターゲットユーザデバイスの場所を判定することによって、前記ターゲットユーザデバイスに関する前記位置決め要求に応答する、
の少なくとも１つをするように動作可能である、請求項１２〜１４のいずれか一項に記載の位置特定サービスサーバ。
【請求項１６】
前記中継ノードの前記現在の場所に対する前記ターゲットユーザデバイスの前記位置は、前記中継ノード、及び／又は該中継ノードが関連付けられる基地局から受信された情報に基づいて判定される、請求項１５に記載の位置特定サービスサーバ。
【請求項１７】
前記応答する手段は、前記識別されたセルが移動セルとして構成されると判定されるときに、衛星位置決め方式に基づいて、前記ターゲットユーザデバイスの場所を判定することによって、前記ターゲットユーザデバイスに関する前記位置決め要求に応答するように動作可能である、請求項１３〜１６のいずれか一項に記載の位置特定サービスサーバ。
【請求項１８】
前記応答する手段は、前記クライアントに、前記ターゲットユーザデバイスの前記判定された場所を送信することによって、前記ターゲットユーザデバイスに関する前記位置決め要求に更に応答するように動作可能である、請求項１５又は１７に記載の位置特定サービスサーバ。
【請求項１９】
前記通信システムは、前記中継ノードに関する位置決め要求を生成するクライアントであって、それにより、前記中継ノードの場所を得るクライアントを更に備え、
前記中継ノードに関する前記位置決め要求において、前記中継ノードをターゲット通信デバイスであると識別する際に用いるための前記中継ノードのための識別子を得る手段を備える、請求項１２〜１８のいずれか一項に記載の位置特定サービスサーバ。
【請求項２０】
前記判定する手段は、前記セルを識別する前記情報と、移動セルのリストを識別する情報とを比較し、それにより、前記セルが移動セルとして構成されるか否かを判定するように動作可能である、請求項１２に記載の位置特定サービスサーバ。
【請求項２１】
前記判定する手段は、少なくとも１つの受信されたメッセージから、前記セルが移動セルとして構成されることを指示する前記情報を得るように動作可能である、請求項１２〜２０のいずれか一項に記載の位置特定サービスサーバ。
【請求項２２】
通信システムにおいてターゲット通信デバイスの位置特定に関連する情報を要求するための位置特定サービスクライアントであって、前記位置特定サービスクライアントは、
前記ターゲット通信デバイスに関する位置決め要求を生成する手段と、
前記生成された要求に従って位置特定サービスサーバと通信する手段と、
を備え、前記通信する手段は、
前記生成された要求を前記位置特定サービスサーバに送信し、
前記位置特定サービスサーバから、前記要求に対する応答を受信するように動作可能であり、前記応答は、前記ターゲット通信デバイスが位置するセルが移動セルとして構成されるか否かを考慮に入れる、位置特定サービスクライアント。
【請求項２３】
請求項１〜５のいずれか一項に記載の基地局と、請求項６〜１１のいずれか一項に記載の中継ノードと、請求項１２〜２１のいずれか一項に記載の位置特定サービスサーバとを備えるシステム。
【請求項２４】
通信システム内のユーザデバイスの位置特定に関連する情報を与えるために基地局によって実行される方法であって、該方法は、
前記ユーザデバイスに、中継ノードによって運用されるセルを介して前記通信システムへのアクセスを与えるために、前記中継ノードと協働し、
前記セルが移動セルとして構成されるか否かの指示を得、
前記セルが移動セルとして構成されるときに、別の通信ノードに、前記セルが移動セルとして構成されることを指示する情報を与える、
ことを含む、方法。
【請求項２５】
通信システム内のユーザデバイスの位置特定に関連する情報を与えるために中継ノードによって実行される方法であって、前記中継ノードは移動中継ノードとして動作可能であり、該方法は、
基地局と協働し、
前記中継ノードが移動中継ノードとして動作しているときに、前記中継ノードによって運用される少なくとも１つのセルが移動セルとして構成されることを指示する情報を与える、
ことを含む、方法。
【請求項２６】
ターゲットユーザデバイスの位置特定に関連する情報を与えるために位置特定サービスサーバによって実行される方法であって、前記ターゲットユーザデバイスは通信システムの中継ノードによってサービングされ、該方法は、
通信システム内のクライアントから、前記ターゲットユーザデバイスに関する位置決め要求を受信し、
前記ターゲットユーザデバイスが位置するセルを識別し、
前記要求するステップにおいて前記要求を受信するのに応答して、前記ターゲットユーザデバイスの位置特定に関連する情報を得るための位置決め手順を開始し、
前記位置決め手順の一部として、前記識別されたセルが移動セルとして構成されるか否かを判定し、
前記識別されたセルが移動セルとして構成されるか否かに応じて、前記位置決め手順の一部として、前記ターゲットユーザデバイスに関する前記位置決め要求に応答する、
ことを含む、方法。
【請求項２７】
ターゲット通信デバイスの位置特定に関連する情報を要求するために位置特定サービスクライアントによって実行される方法であって、該方法は、
前記ターゲット通信デバイスに関する位置決め要求を生成し、
前記生成された要求を位置特定サービスサーバに送信し、
前記位置特定サービスサーバから、前記要求に対する応答を受信する、
ことを含み、前記応答は、前記ターゲット通信デバイスが位置するセルが移動セルとして構成されるか否かを考慮に入れる、方法。
【請求項２８】
コンピュータプログラムであって、請求項１〜５のいずれか一項に記載の基地局、請求項６〜１１のいずれか一項に記載の中継ノード、請求項１２〜２１のいずれか一項に記載の位置特定サービスサーバ、又は請求項２２に記載の位置特定サービスクライアントとしてプログラマブルコンピュータデバイスを構成させるコンピュータ実施可能命令を含む、コンピュータプログラム。
【発明の詳細な説明】
【技術分野】
【０００１】
本発明は、移動通信デバイス又は固定通信デバイスに通信サービスを提供する通信システム及びその構成要素に関する。本発明は、限定はしないが、関連付けられる第３世代パートナーシッププロジェクト（３ＧＰＰ）標準規格の文書作成において現在定義されているような長期発展型（ＬＴＥ）アドバンストシステムにおいて移動中継器によって運用されるセル内で位置特定サービスを提供することに特に関連する。
【背景技術】
【０００２】
中継は、ＬＴＥアドバンストに関して、例えばユーザ機器（ＵＥ）のための高データレートのカバレッジ、一時的なネットワーク展開、セルエッジスループットを改善し、及び／又は新たなセルエリア内のカバレッジを提供するツールとみなされる。ＬＴＥアドバンストは、基地局（ｅＮＢ）（ドナーｅＮＢ（ＤｅＮＢ）と呼ばれる）に無線接続される中継ノード（ＲＮ）を有することによって中継をサポートする。自らの「ドナー」セルをサービングすることに加えて、ドナーｅＮＢは発展型ユニバーサル陸上無線アクセス（Ｅ−ＵＴＲＡ）無線インタフェースの修正版によって、ＲＮをサービングする。修正されたインタフェースは「Ｕｎ」インタフェースと呼ばれる。
【０００３】
各ＲＮは、基地局の機能の数多くの態様を与えられ、それゆえ、自らの「中継」セルをサービングする基地局としての役割を果たすことができる。それゆえ、中継セル内のユーザ機器（例えば移動電話等）の視点で見ると、ＲＮは基本的に従来のＬＴＥ基地局であるように見える。しかしながら、基地局機能に加えて、ＲＮは、ドナーｅＮＢに無線接続できるようにするために、例えば、物理レイヤ機能、媒体アクセス制御（ＭＡＣ）機能、無線リソース制御（ＲＲＣ）機能及び非アクセス層（ＮＡＳ）機能の数多くの態様を含む、ＵＥ機能のサブセットもサポートする。それゆえ、ドナーｅＮＢの視点で見ると、ＲＮは基本的に移動（セルラ）電話のようなユーザ機器のアイテムであるように見える。
【０００４】
通信システムにおいて、例えば、無線信号測定に基づいて、移動電話（又は他のユーザ機器）に関する位置特定関連情報（地理的位置及び／又は速度等）を判定できるようにする位置特定サービス（ＬＣＳ）が提供される場合がある。具体的には、ＬＣＳクライアントエンティティが、ＬＣＳサーバから、１つ又は複数のターゲット移動電話に関する位置特定関連情報を要求する。ＬＣＳクライアント（そのクライアントはソフトウェアアプリケーションとすることができる）は、通信システム内（例えば、移動電話内）に設けられるか、又は通信システムの外部に設けられる。ＬＣＳサーバエンティティは、ＬＣＳクライアントによって要求されるようなターゲット移動電話（複数の場合もある）の位置特定情報を得るために、適切な位置決め方法を利用する。
【０００５】
ＬＴＥでは、制御プレーンの位置決め手順及びユーザプレーンの位置決め手順の両方がサポートされる。ユーザプレーン位置決めは、自身の位置特定関連情報が要求された移動電話と、ユーザプレーンにわたって位置決め協調及び計算のための責任を負っている、いわゆる「ＳＵＰＬ位置特定プラットフォーム」（ＳＬＰ）との間の「セキュアユーザプレーンロケーション」（ＳＵＰＬ）プロトコルを用いてサポートされる。ＳＬＰは、ユーザプレーンデータ接続を介して移動電話に接続する。制御プレーン位置決めは、ターゲット移動電話に関する位置特定関連情報（例えば、移動電話の位置及び／又は速度）を得るために必要とされる全体的な協調及び計算を管理する位置決めサーバノードである、いわゆる「エンハンストサービングモバイルロケーションセンタ」（Ｅ−ＳＭＬＣ）を用いてサポートされる。Ｅ−ＳＭＬＣは、制御プレーンシグナリングを用いて、位置決めされることになる移動電話、及びこの移動電話をサービングする基地局とデータを交換する。
【０００６】
Ｅ−ＵＴＲＡＮの場合、３つの位置決め方法がサポートされている。第１の方法は、「エンハンストセルＩＤ」（Ｅ−ＣＩＤ）に基づく位置決め方法と呼ばれ、移動電話をサービングする基地局の地理的座標（及び／又は基地局の地理的座標と移動電話がキャンプするセルの座標とが異なる場合、移動電話がキャンプするセルの座標）についての知識を用いてターゲット移動電話の位置を推定する。第２の方法は、観測到着時間差（ＯＴＤＯＡ）を用いたダウンリンク位置決め方法と呼ばれ、ＵＴＲＡＮフレームタイミングに関して移動電話によって行われた測定と、この移動電話をサービングする基地局及び／又はセルの地理的座標についての知識とを用いて、ターゲット移動電話の位置を推定する。第３の位置決め方法は、支援型グローバルナビゲーション衛星システム（Ａ−ＧＮＳＳ）に基づく位置決め方法と呼ばれ、ＧＮＳＳ機能を備えたユーザ機器によって用いられる場合がある。ＧＮＳＳの例は、グローバルポジショニングシステム（ＧＰＳ）及びガリレオを含む。ＧＮＳＳに加えて、ネットワーク支援を与えることによって、例えば、支援型ＧＰＳ（Ａ−ＧＰＳ）によって、位置計算時間を数分から数秒に短縮することができる。
【０００７】
ＬＴＥは、上記の位置決め方法の組み合わせを用いるハイブリッド位置決め技法もサポートする。
【０００８】
ＬＴＥは、位置決めサーバ（Ｅ−ＳＭＬＣ／ＳＬＰ）とターゲット移動電話との間でＬＰＰ（「ＬＴＥ位置決めプロトコル」）位置特定プロトコルを用いる。これは、ＮＡＳシグナリングにおいて搬送されるか、又はユーザデータとして搬送される。いずれの場合でも、ＬＰＰは、ターゲット移動電話をサービングする基地局に対してトランスペアレントである。
【０００９】
ＬＴＥは、Ｅ−ＳＭＬＣと基地局との間でＬＰＰａ（ＬＴＥ位置決めプロトコルアネックス）も用いる。ＬＰＰａメッセージは、Ｓ１シグナリングメッセージ内のプロトコルデータユニット（ＰＤＵ）として搬送される。
【００１０】
移動電話の場所を得るために、ＬＣＳサーバの位置決め機能は、この移動電話をサービングするセル（すなわち、基地局又は中継ノード）の地理的座標の知識を必要とする。
【００１１】
しかしながら、状況によっては、ＲＮは、列車、バス、船舶、航空機等の移動している乗り物内に設置される。それゆえ、そのような移動中継ノード（ＭＲＮ）及びそのセルは、乗り物が移動するにつれてその地理的場所を変更することになり、１つのドナーｅＮＢから別のドナーｅＮＢにそのアタッチメントを変更することになる。この場合、このアタッチメントの変化がＲＮとＤｅＮＢとの間で生じるが、移動電話は、同じＲＮの、「モバイルである」が、同じセルによってサービングされ続ける。しかしながら、この場合、ＬＣＳサーバは、ＭＲＮによってサービングされる移動電話に関する完全な位置特定サービスを提供することはできない。
【００１２】
詳細には、ＬＣＳサーバは、移動中継ノードによってサービングされる移動電話に対してセル特有の地理的位置決め方法を用いることはできない。さらに、移動電話が高速移動している移動中継ノードによってサービングされる状況の場合、及びそのような技法のために必要とされる測位衛星からの明確で途切れることのない受信を保証できない状況の場合に、そのような技法は当てにすることができないので、この欠点は、衛星に基づく位置決め（例えば、Ａ−ＧＮＳＳ位置決め方法）によって必ずしも軽減できるとは限らない。
【発明の概要】
【発明が解決しようとする課題】
【００１３】
本発明は、１つ又は複数の上記の問題を克服するか、又は少なくとも軽減する、改善された通信システム、及び通信システムの改善された構成要素を提供することを目的とする。
【課題を解決するための手段】
【００１４】
本発明の一態様は、通信システム内のユーザデバイスの位置特定に関連する情報を与えるための通信ノードであって、該通信ノードは、前記ユーザデバイスに、中継ノードによって運用されるセルを介して前記通信システムへのアクセスを与えるように該中継ノードと協働する手段と、前記セルが移動セルとして構成されるか否かの指示を得る手段と、前記セルが移動セルとして構成されるときに、該セルが移動セルとして構成されることを指示する情報を更なる通信ノードに与える手段と、を備える、通信ノードを提供する。
【００１５】
別の態様では、通信システム内のユーザデバイスの位置特定に関連する情報を与えるための中継ノードであって、該中継ノードは移動中継ノードとして動作可能であり、該中継ノードは、基地局と協働する手段と、前記ユーザデバイスに、前記通信システムへのアクセスを与えるために少なくとも１つのセルを運用する手段と、該中継ノードが移動中継ノードとして動作しているときに、前記少なくとも１つのセルが移動セルとして構成されることを指示する情報を与える手段とを備える、中継ノードが提供される。
【００１６】
前記与える手段は、前記中継ノードを識別する情報及び／又は前記セルを識別する情報を与えることができる。前記中継ノードを識別する前記情報は、前記中継ノードをターゲット通信デバイスとして識別するための識別子（例えば、「ＭＲＮ  ＵＥ  ＩＤ」）を含むことができ、及び前記セルを識別する前記情報は、セル識別子、例えば、Ｅ−ＵＴＲＡＮセルグローバル識別子「ＥＣＧＩ」を含むことができる。
【００１７】
前記通信ノードが前記ユーザデバイスの位置特定要求を受信するのに応答して、前記セルが移動セルとして構成されることを指示する前記情報を与えることができる。前記与える手段は、前記ユーザデバイスを識別する情報（例えば、「ＵＥ  ＩＤ」）を与えることができる。
【００１８】
前記通信ノードが前記中継ノードと協働するのに応答して、前記セルが移動セルとして構成されることを指示する前記情報を与えることができる。前記通信ノードが、前記中継ノードと協働をやめるのに応答して、前記セルが前記通信ノードともはや協働しないことを指示する更新された情報を与えることができる。
【００１９】
通信ノード及び／又は中継ノードは、前記中継ノード及び／又は前記ユーザデバイスのための位置特定関連データを得る手段を備えることができる。前記中継ノードが移動中継ノードである場合、前記位置特定関連データを得る手段は、前記更なる通信ノードに、前記中継ノード及び／又は該中継ノードが運用する前記セルの現在の位置を判定する際に前記更なる通信ノードによって使用するための前記中継ノードの現在の場所に関連する情報を与え、それにより、前記中継ノード及び／又は前記セルの前記現在の位置に基づいて前記ユーザデバイスの位置を判定することができる。
【００２０】
前記セルが移動セルとして構成されることを指示する前記情報は、ＬＴＥ（長期発展型）位置決めプロトコル「ＬＰＰ」メッセージ、ＬＴＥ位置決めプロトコルアネックス「ＬＰＰａ」メッセージ、及び無線リソース制御「ＲＲＣ」プロトコルメッセージのうちの少なくとも１つを含む、少なくとも１つのメッセージを用いて、与えることができる。
【００２１】
前記少なくとも１つのメッセージは、「Ｅ−ＣＩＤ測定開始応答」、「ＯＴＤＯＡ情報応答」、「機能提供」メッセージ、「移動セル情報」メッセージ、「移動セル情報応答」、「Ｅ−ＣＩＤ測定開始失敗」、「ＯＴＤＯＡ情報失敗」及び「移動セル位置」メッセージのうちの少なくとも１つを含むことができる。前記セルが移動セルとして構成されることを指示する前記情報は、「移動セル指示」情報要素を含むことができる。
【００２２】
前記通信ノードは、前記セルを識別する前記情報を、移動セルのリストを識別する情報と比較し、それにより、前記セルが移動セルとして構成されるか否かを判定することができる。
【００２３】
前記通信ノードは、前記中継ノードから直接に、又は間接的に、前記セルが移動セルとして構成されるか否かの前記指示を得ることができる。
【００２４】
通信ノード及び／又は中継ノードは、ターゲット通信デバイスに関する位置特定関連情報を要求するための位置特定サービスクライアントを備えることができる。
【００２５】
前記セルが移動セルとして構成されることを指示する前記情報は、前記セルの構成が変化し、移動セルとして構成されるのに応答して、与えることができる。
【００２６】
前記通信ノードは基地局として構成することができる。前記セルが移動セルとして構成されることを指示する前記情報は、別のネットワークエンティティ（例えば、モビリティ管理エンティティ「ＭＭＥ」）を介して、与えることができる。前記通信ノードはモビリティ管理エンティティ「ＭＭＥ」として構成されることができ、この場合、前記セルが移動セルとして構成されるか否かの前記指示を基地局から得ることができる。
【００２７】
前記更なる通信ノードは、位置特定サービスサーバ（例えば、エンハンストサービングモバイルロケーションセンタ「Ｅ−ＳＭＬＣ」及び／又はセキュアユーザプレーンロケーション（ＳＵＰＬ）位置特定プラットフォーム「ＳＬＰ」）を含むことができる。
【００２８】
更に別の態様では、ターゲットユーザデバイスの位置特定に関連する情報を与えるための通信ノードであって、前記ターゲットユーザデバイスは中継ノードによってサービングされ、該通信ノードは、更なる通信ノード内のクライアントから前記ターゲットユーザデバイスに関する位置決め要求を受信する手段と、前記ターゲットユーザデバイスが位置するセルを識別する手段と、前記要求を受信するのに応答して、前記ターゲットユーザデバイスの位置特定に関連する情報を得るための位置決め手順を開始する手段と、前記位置決め手順の一部として、前記識別されたセルが移動セルとして構成されるか否かを判定する手段と、前記位置決め手順の一部として、前記識別されたセルが移動セルとして構成されるか否かに応じて、前記ターゲットユーザデバイスに関する前記位置決め要求に応答する手段と、を備える、通信ノードが提供される。
【００２９】
通信ノードは、前記ユーザデバイス及び／又は前記移動セルの地理的場所を得る手段を備えることができる。通信ノードは、前記セルを識別する情報を得る手段を更に備えることができる。前記セルを識別する前記情報は、セル識別子を含むことができ、例えば、Ｅ−ＵＴＲＡＮセルグローバル識別子「ＥＣＧＩ」を含むことができる。
【００３０】
前記判定する手段は、前記中継ノードが通信システムの基地局及び／又はモビリティ管理エンティティ（「ＭＭＥ」）と協働するときに得られた情報に基づいて、前記識別されたセルが移動セルとして構成されるか否かを判定することができる。
【００３１】
前記判定する手段は、前記通信ノードによって、前記中継ノードに送信されるか、又は該中継ノードに関連付けられる基地局及び／又はモビリティ管理エンティティ（「ＭＭＥ」）に送信される要求に応答して受信された情報に基づいて、前記識別されたセルが移動セルとして構成されるか否かを判定することができる。
【００３２】
前記応答する手段は、前記識別されたセルが移動セルとして構成されると判定されたときに、前記クライアントに失敗指示を送信することによって、前記ターゲットユーザデバイスに関する前記位置決め要求に応答することができる。前記応答する手段は、前記識別されたセルが移動セルとして構成されると判定されるときに、前記中継ノード及び／又は前記セルの現在の場所を判定することによって、前記ターゲットユーザデバイスに関する前記位置決め要求に応答することができる。前記応答する手段は、前記識別されたセルが移動セルとして構成されると判定されるときに、前記クライアントに、前記中継ノード及び／又は前記セルの前記現在の場所を送信することによって、前記ターゲットユーザデバイスに関する前記位置決め要求に応答することができる。
【００３３】
前記応答する手段は、前記識別されたセルが移動セルとして構成されると判定されるときに、前記中継ノード及び／又は前記セルの前記現在の場所と、前記中継ノード及び／又は前記セルの前記現在の場所に対する前記ターゲットユーザーデバイスの位置とに基づいて、前記ターゲットユーザーデバイスの場所を判定することによって、前記ターゲットユーザデバイスに関する前記位置決め要求に応答することができる。
【００３４】
前記ターゲットユーザデバイスの前記位置は、前記中継ノード、及び／又は前記中継ノードが関連付けられる基地局から受信された情報に基づいて、前記中継ノードの前記現在の場所に対して、判定することができる。前記応答する手段は、前記識別されたセルが移動セルとして構成されると判定されるときに、衛星位置決め方式に基づいて、前記ターゲットユーザデバイスの場所を判定することによって、前記ターゲットユーザデバイスに関する前記位置決め要求に応答することができる。
【００３５】
前記応答する手段は、前記クライアントに、前記ターゲットユーザデバイスの前記判定された場所を送信することによって、前記ターゲットユーザデバイスに関する前記位置決め要求に応答することもできる。通信ノードは、前記中継ノードに関する位置決め要求を生成するクライアントであって、それにより、前記中継ノードの場所を得るクライアントを備えることができる。
【００３６】
通信ノードは、前記中継ノードに関する前記位置決め要求において、前記中継ノードをターゲット通信デバイスであると識別する際に用いるための前記中継ノードのための識別子（例えば、「ＭＲＮ  ＵＥ  ＩＤ」）を得る手段を備えることができる。
【００３７】
前記判定する手段は、前記セルを識別する前記情報と、移動セルのリストを識別する情報とを比較し、それにより、前記セルが移動セルとして構成されるか否かを判定することができる。
【００３８】
前記判定する手段は、少なくとも１つの受信されたメッセージから、前記セルが移動セルとして構成されることを指示する前記情報を得ることができる。前記少なくとも１つの受信されたメッセージは、ＬＴＥ（長期発展型）位置決めプロトコル「ＬＰＰ」メッセージ、ＬＴＥ位置決めプロトコルアネックス「ＬＰＰａ」メッセージ、及び無線リソース制御「ＲＲＣ」プロトコルメッセージのうちの少なくとも１つを含むことができる。前記少なくとも１つの受信されたメッセージは、「Ｅ−ＣＩＤ測定開始応答」、「ＯＴＤＯＡ情報応答」、「機能提供」メッセージ、「移動セル情報」メッセージ、「移動セル情報応答」、「Ｅ−ＣＩＤ測定開始失敗」、「ＯＴＤＯＡ情報失敗」及び「移動セル位置」メッセージのうちの少なくとも１つを含むことができる。
【００３９】
通信ノードは、更なる通信ノードから「移動セル指示」情報要素を受信することができる。
【００４０】
更なる態様では、通信システムにおいてターゲット通信デバイスの位置特定に関連する情報を要求するためのユーザデバイスであって、前記通信デバイスは、前記ターゲットユーザデバイスに関する位置決め要求を生成する手段と、前記生成された要求に従って通信ノードと通信する手段と、を備え、前記通信する手段は、前記生成された要求を前記通信ノードに送信し、前記通信ノードから、前記要求に対する応答を受信するように動作可能であり、前記応答は、前記通信デバイスが位置するセルが移動セルとして構成されるか否かを考慮に入れる、ユーザデバイスが提供される。
【００４１】
一態様では、通信システム内のユーザデバイスの位置特定に関連する情報を与えるために通信ノードによって実行される方法であって、該方法は、前記ユーザデバイスに、中継ノードによって運用されるセルを介して前記通信システムへのアクセスを与えるために、前記中継ノードと協働し、前記セルが移動セルとして構成されるか否かの指示を得、前記セルが移動セルとして構成されるときに、別の通信ノードに、前記セルが移動セルとして構成されることを指示する情報を与える、ことを含む、方法が提供される。
【００４２】
別の態様では、通信システム内のユーザデバイスの位置特定に関連する情報を与えるために中継ノードによって実行される方法であって、前記中継ノードは移動中継ノードとして動作可能であり、該方法は、基地局と協働し、前記中継ノードが移動中継ノードとして動作しているときに、前記中継ノードによって運用される少なくとも１つのセルが移動セルとして構成されることを指示する情報を与える、ことを含む、方法が提供される。
【００４３】
更に別の態様では、ターゲットユーザデバイスの位置特定に関連する情報を与えるために通信ノードによって実行される方法であって、前記ターゲットユーザデバイスは通信システムの中継ノードによってサービングされ、該方法は、更なる通信ノード内のクライアントから、前記ターゲットユーザデバイスに関する位置決め要求を受信し、前記ターゲットユーザデバイスが位置するセルを識別し、前記要求するステップにおいて前記要求を受信するのに応答して、前記ターゲットユーザデバイスの位置特定に関連する情報を得るための位置決め手順を開始し、前記位置決め手順の一部として、前記識別されたセルが移動セルとして構成されるか否かを判定し、前記識別されたセルが移動セルとして構成されるか否かに応じて、前記位置決め手順の一部として、前記ターゲットユーザデバイスに関する前記位置決め要求に応答する、ことを含む、方法が提供される。
【００４４】
更なる態様では、ターゲットユーザデバイスの位置特定に関連する情報を要求するためにユーザデバイスによって実行される方法であって、該方法は、前記ターゲットユーザデバイスに関する位置決め要求を生成し、前記生成された要求を通信ノードに送信し、前記通信ノードから、前記要求に対する応答を受信する、ことを含み、前記応答は、前記通信デバイスが位置するセルが移動セルとして構成されるか否かを考慮に入れる、方法が提供される。
【００４５】
本発明の態様は、上記で示した、又は特許請求の範囲において記載される態様及び可能な形態において記述されるような方法を実行するようにプログラマブルプロセッサをプログラムするように、及び／又は特許請求の範囲のいずれかの請求項において記載される装置を提供するように適切に構成されたコンピュータをプログラムするように動作可能である、その上に記憶された命令を有するコンピュータ可読記憶媒体のようなコンピュータプログラム製品にまで及ぶ。
【００４６】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は任意の組み合わせにおいて、又は個々に、その独立請求項に取り込まれる場合がある。
【００４７】
次に、本発明の実施形態を、単に例として、添付の図面を参照しながら説明する。
【図面の簡単な説明】
【００４８】
【図１】列車に搭載された中継ノードを有する移動通信システムを概略的に示す図である。
【図２】図１に示すシステムの一部を成す移動中継ノードの主な構成要素を示すブロック図である。
【図３】図１に示すシステムの一部を成すドナー基地局の主な構成要素を示すブロック図である。
【図４】図１に示すシステムの一部を成す位置特定サービスサーバの主な構成要素を示すブロック図である。
【図５】図１に示されるシステムにおいて位置特定サービスをそれに基づいて提供することができる参照モデルを示す概略図である。
【図６】ＬＴＥ標準規格に従って動作する通信システムにおける位置決めアーキテクチャを示す概略図である。
【図７ａ】中継ノードが関与しないときに、図１に示されるシステムにおいて用いるための例示的なプロトコルスタックを示す概略図である。
【図７ｂ】中継ノードが関与しないときに、図１に示されるシステムにおいて用いるための別の例示的なプロトコルスタックを示す概略図である。
【図７ｃ】中継ノードが関与しないときに、本発明の実施形態を実施するための例示的なプロトコルスタックを示す概略図である。
【図７ｄ】中継ノードが関与しないときに、本発明の実施形態を実施するための別の例示的なプロトコルスタックを示す概略図である。
【図８】位置決め情報要求が受信されるときに、通信システムの構成要素によって実行される方法を示す例示的なタイミング図である。
【図９ａ】接続状態の変化が図１において示される中継ノードと基地局との間で生じるときに、ＬＣＳサーバを更新するための例示的なシグナリング図を示す図である。
【図９ｂ】接続状態の変化が図１において示される中継ノードと基地局との間で生じるときに、ＬＣＳサーバを更新するための別の例示的なシグナリング図を示す図である。
【図１０】位置決め情報要求が受信されるときに、通信システムの構成要素によって実行される方法を示す別の例示的なタイミング図である。
【図１１】中継ノードを位置決めするときに通信システムの構成要素によって実行される方法を示す例示的なタイミング図である。
【図１２】位置決め測定が移動セルにおいて利用できないことをＬＣＳサーバに通知するための例示的なタイミング図である。
【図１３ａ】移動セルのリストについてＬＣＳサーバに通知するための例示的なタイミング図である。
【図１３ｂ】移動セルのリストについてＬＣＳサーバに通知するための別の例示的なタイミング図である。
【図１４】特定のエンティティによる位置決め要求の自律的開始のための別の例示的なタイミング図である。
【図１５】位置決め要求のＭＲＮ終了のための別の例示的なタイミング図である。
【図１６】ＬＣＳ論理参照モデルの概要を示す図である。
【図１７】ＬＴＥ  ＵＥ位置決めアーキテクチャの大要を示す図である。
【図１８】ＬＰＰプロトコルスタックを示す図である。
【図１９】ＬＰＰａプロトコルスタックを示す図である。
【図２０】ＬＣＳ基本メッセージシーケンスを示す図である。
【図２１】ｅＮＢ手順のための、可能性のあるメッセージシーケンスを示す図である。
【図２２】可能な新移動セル情報交換手順を示す図である。
【図２３】可能な新移動セル情報交換手順を示す図である。
【図２４】可能なＭＲＮ位置決めメッセージシーケンスを示す図である。
【図２５】可能なＭＲＮ位置決めメッセージシーケンスを示す図である。
【図２６】可能なＭＲＮ位置決めメッセージシーケンスを示す図である。
【図２７】可能なＭＲＮ位置決めメッセージシーケンスを示す図である。
【図２８】ｅＮＢ手順のための、可能性のあるメッセージシーケンスを示す図である。
【図２９】可能な新移動セル情報交換手順を示す図である。
【図３０】可能な新移動セル情報交換手順を示す図である。
【発明を実施するための形態】
【００４９】
図１は、移動（セルラ）通信システム１を概略的に示しており、その通信システムは、移動中継ノード３を有する列車２を含む。この移動中継ノードは、列車２内のユーザ機器４（ＵＥ、例えば、乗客によって携帯される移動電話）の複数のアイテムに基地局機能を提供する。列車２が線路６に沿って進むにつれて、中継ノード３はドナー基地局５−１及び５−２にアタッチする。また、通信システム１はコアネットワーク７も含み、コアネットワークは、コアネットワーク７内の移動電話４のモビリティを管理するモビリティ管理エンティティ（ＭＭＥ）９と、ネットワーク内の種々のデバイスを構成する運用保守ユニット（ＯＡＭ）（図示せず）と、ＬＣＳクライアント１３からの要求時に移動電話４の地理的場所を捕捉する位置特定サービスサーバ（ＬＣＳ）１１とを備える。ＬＴＥにおいて、ＬＣＳサーバ１１は、例えば、セキュアユーザプレーンロケーション（ＳＵＰＬ）プラットフォーム／エンハンストサービングモバイルロケーションセンタ（ＳＬＰ／Ｅ−ＳＭＬＣ）ノードを備えることができ、そのノードはいわゆる「ＳＬｓ」インタフェースを介してＭＭＥ９に接続される。このシステムにおいて、ドナー基地局５は、「Ｘ２」インタフェースを介して互いに、かつ「Ｓ１」インタフェースを介してＭＭＥ９に結合される。
【００５０】
列車２が線路６に沿って進むにつれて、中継ノード３の地理的場所は変化し、これは急速に変化する可能性がある。しかしながら、この実施形態では、ＬＣＳサーバ１１は、どのセルがモバイルであるか（例えば、この場合には：セル３）を有益に認識し、これらのセル内の移動電話４の地理的場所を必要とするサービスを依然として提供できるように、これらのセルを運用する中継ノード３の現在の場所を得る。
【００５１】
それゆえ、この実施形態では、ＬＣＳサーバ１１がＬＣＳクライアント１３から、ターゲット移動電話４のための位置特定関連情報に関する位置決め要求を受信するとき、ＬＣＳサーバ１１は、要求された位置特定関連情報をそこから導出することができる位置特定情報要求を生成し、この移動電話４をサービングする基地局に向かって送信する。必要とされる位置決めのタイプに応じて、ＬＣＳサーバ１１によって生成され、送信される要求は、ＬＴＥ位置決めプロトコルアネックス（ＬＰＰａ）プロトコルに従って構築される「Ｅ−ＣＩＤ測定開始要求」又は「ＯＴＤＯＡ情報要求」のいずれかである。
【００５２】
しかしながら、この要求を最初に受信する基地局はドナー基地局５（例えば、ＤｅＮＢ５−１及び５−２）として動作しており、ターゲット移動電話４はＭＲＮ３によってサービングされるので、ＤｅＮＢ５は、このメッセージをＭＲＮ３にトランスペアレントに転送する。ＭＲＮ３は、ＬＣＳサーバ１１に、ターゲット移動電話４が移動セルによってサービングされているという指示を返送する。その指示は、ＬＣＳサーバの位置特定情報要求への応答内の専用情報要素（ＩＥ）において与えられ、ＬＣＳサーバ１１に送信される。この実施形態において、その情報要素は、Ｅ−ＣＩＤ測定開始要求を含む位置特定情報要求に応答して「Ｅ−ＣＩＤ測定開始応答」メッセージの形で、又は「ＯＴＤＯＡ情報要求」を含む位置特定情報要求に応答して「ＯＴＤＯＡ情報応答」メッセージの形で、応答メッセージ内に含まれる。
【００５３】
この実施形態では、その応答において、ＭＲＮ３の一意識別情報（例えば、「ＭＲＮ  ＵＥ  ＩＤ」）及びＭＲＮ３の制御下のセル（複数の場合もある）の一意識別情報も与えられる。セルの一意識別情報は、例えば、Ｅ−ＵＴＲＡＮセルグローバル識別子（ＥＣＧＩ）、又は２つ以上のセルが存在する場合には、ＭＲＮ３によって制御されるセルに関するＥＣＧＩのリストとすることができる。また、その応答メッセージは、このＭＲＮ３に関連付けられるターゲット移動電話４の識別情報も含む。
【００５４】
ＬＣＳサーバ１１は、応答メッセージを受信し、例えば、ＭＲＮ３が、ＭＲＮ３をサービングするＤｅＮＢ５のセル内で動作しているユーザ機器の標準的なアイテムであるかのように、ＬＣＳ手順を実行してＭＲＮ３の位置を特定することによって、ＭＲＮ３に関する地理的場所を得る。ＭＲＮ３のための地理的場所が得られると、ＬＣＳサーバ１１は、ＭＲＮ３によってサービングされるターゲット移動電話４に関する地理的場所も判定することができる。
【００５５】
それゆえ、ＬＣＳサーバ１１は、ターゲット移動電話４の得られた地理的位置情報を、その情報を当初に要求したＬＣＳクライアント１３に返送することができる。
【００５６】
それゆえ、ＬＣＳサーバ１１は、有利には、ターゲット移動電話４をサービングしているＭＲＮの現在の地理的場所を得ることができ、それゆえ、移動電話４の地理的場所を判定することもできる。このようにして、更に信頼性が高い位置決めサービスが提供され、ＬＣＳサーバ１１は、ターゲット移動電話４に関する誤った、又は著しく古くなった地理的位置を得るのを回避する。さらに、その手順はターゲット移動電話４及びＬＣＳクライアント１３に対してトランスペアレントであり、それにより、レガシー移動電話及びＬＣＳクライアントとの互換性を確保する。
【００５７】
ＬＴＥ位置決めアーキテクチャの更なる詳細を図５〜図７を参照しながら以下に説明する。種々の実施形態を示す例示的なシグナリング図を図８〜図１０を参照しながら説明する。
【００５８】
移動中継ノード
図２は、図１に示される中継ノード３の主要構成要素を示すブロック図である。中継ノード３は、自らのカバレッジエリア内でサービスを提供する、基地局のような通信ノードであるが、中継ノード３は、コアネットワーク７に直接接続しない。代わりに、中継ノードは、ドナー基地局５に無線接続し、その際、ドナー基地局がコアネットワーク７への接続を与えるように動作可能である。
【００５９】
図示されるように、中継ノード３は、基地局アンテナ３３を介して（ドナー）基地局５に対して、そしてＵＥアンテナ３５を介してユーザ機器４に対して信号を送受信するように動作可能であるトランシーバ回路３１を含む。トランシーバ回路３１の動作は、メモリ３９内に記憶されるソフトウェアに従ってコントローラ３７によって制御される。そのソフトウェアは、数ある中でも、オペレーティングシステム４１と、通信制御モジュール４３と、ドナー基地局登録モジュール４４と、ユーザ機器登録モジュール４５と、位置特定サービスモジュール４７と、運用保守モジュール４９とを含む。
【００６０】
通信制御モジュール４３は、例えば、ユーザ機器４のそれぞれとの通信、及び基地局５との通信においてトランシーバ回路３１によって使用されることになるリソースの割当てを含む、ユーザ機器４及び（ドナー）基地局５との通信を制御するように動作可能である。
【００６１】
ドナー基地局登録モジュール４４は、例えば、中継ノード３の起動中又はハンドオーバ中に、ドナー基地局５での中継ノード３の登録を実行するように動作可能である。ユーザ機器登録モジュール４５は、中継ノードのセル（複数の場合もある）によってサービングされるユーザ機器４を追跡するように動作可能である。
【００６２】
位置特定サービスモジュール４７は、ユーザ機器の地理的場所を得るために必要な情報を（ドナー基地局５を介して）ＬＣＳサーバ１１に与えるように動作可能である。位置特定サービスモジュール４７は、例えば、（ドナー基地局５を介して）ＬＣＳサーバ１１に、移動セルを運用していることを指示し、これらの移動セルを識別するセル識別子のリストを与えるように動作可能である。
【００６３】
運用保守モジュール４９は、中継ノード３の動作パラメータを設定し、記憶するためにコアネットワーク７内のＯＡＭエンティティとインタフェースするように動作可能である。運用保守モジュール４９によって記憶される動作パラメータは、例えば、中継ノードセル及びその一意識別子（例えば、ＥＣＧＩ）のリストと、移動セルを含む中継ノードセルのための構成データと、サポートされる位置決め方法とを含む。
【００６４】
基地局
図３は、図１に示すドナー基地局５−１等の基地局における主な構成要素を示すブロック図である。基地局５は、自身のカバレッジエリア内のユーザ機器４にサービスを提供する固定通信ノードである。本発明による実施形態では、基地局５は、（移動）中継ノード３を介してユーザ機器４と通信している。図示するように、基地局５は、少なくとも１つのアンテナ５３を介して中継ノード３に対して信号を送受信するように動作可能なトランシーバ回路５１を備える。基地局５は、ネットワークインタフェース５５を介してコアネットワーク７のＬＣＳサーバ１１及び他の基地局に対して信号を送受信するようにも動作可能である。トランシーバ回路５１の動作は、メモリ５９に記憶されたソフトウェアに従ってコントローラ５７によって制御される。このソフトウェアは、特に、オペレーティングシステム６１、通信制御モジュール６３、中継ノード管理モジュール６５、位置特定サービスモジュール６７、及び運用保守モジュール６９を含む。
【００６５】
通信制御モジュール６３は、基地局及び中継ノード３と、ユーザ機器４と、ＭＭＥ９及びＬＣＳサーバ１１等のネットワークデバイスとの通信を制御するように動作可能である。
【００６６】
中継ノード管理モジュール６５は、基地局５と当該基地局にアタッチされた中継ノード３との接続を制御するように動作可能である。
【００６７】
位置特定サービスモジュール６７は、ユーザ機器の地理的場所を得るのに必要な情報をＬＣＳサーバ１１に与えるように動作可能である。位置特定サービスモジュール６７は、例えば、ＬＣＳサーバ１１に、この基地局にアタッチされた中継ノード３が移動セルを運用していることを指示し、これらの移動セルを識別するセル識別子のリストを与えるよう動作する。
【００６８】
運用保守モジュール６９は、基地局５の動作パラメータを設定し、記憶するためにコアネットワーク７内のＯＡＭエンティティとインタフェースするように動作可能である。運用保守モジュール６９によって記憶される動作パラメータは、例えば、中継ノードセル及びその一意識別子（例えば、ＥＣＧＩ）のリストと、移動セルを含む中継ノードセルのための構成データと、サポートされる位置決め方法とを含む。
【００６９】
ＬＣＳサーバ
図４は、図１に示される位置特定サービスサーバエンティティ１１の主要構成要素を示すブロック図である。上記で言及されたように、ＬＣＳサーバ１１は、移動（セルラ）通信システム１内のターゲットユーザ機器４の現在の地理的場所についての情報を入手し、要求に応じて、そのような情報をＬＣＳクライアント１３エンティティに与えることによって、ターゲットユーザ機器４に関する位置特定サービスを提供する通信ノードである。図示されるように、ＬＣＳサーバ１１は、ＬＣＳクライアントインタフェース７３を介してＬＣＳクライアント１３に対して信号を送受信し、基地局インタフェース７５を介して基地局５に対して信号を送受信するように動作可能であるトランシーバ回路７１を含む。トランシーバ回路７１の動作は、メモリ７９内に記憶されるソフトウェアに従ってコントローラ７７によって制御される。ソフトウェアは、数ある中でも、オペレーティングシステム８１と、通信制御モジュール８３と、位置特定サービスモジュール８４と、移動セル登録モジュール８５と、ユーザ機器位置決めモジュール８７と、運用保守モジュール８９とを含む。
【００７０】
通信制御モジュール８３は、基地局５、ＬＣＳクライアント１３、ＯＡＭユニット及びＭＭＥ９のような種々のネットワークデバイスとの通信を制御するように動作可能である。
【００７１】
位置特定サービスモジュール８４は、基地局５及び／又は中継ノード３から、ユーザ機器の地理的場所を得るために必要とされる情報を受信するように動作可能である。位置特定サービスモジュール８４は、例えば、ターゲットユーザ機器をサービングする中継ノード３が移動セルを運用しているという指示を受信し、これらの移動セルを識別するセル識別子のリストを受信するように動作可能である。
【００７２】
移動セル登録モジュール８５は、移動セルのリストを記憶し、維持管理するように動作可能である。
【００７３】
ユーザ機器位置決めモジュール８７は、ユーザ機器を位置決めするように動作可能である。この例では、ユーザ機器位置決めモジュール８７は、位置特定サービスモジュール８４によって受信され、及び／又は移動セル登録モジュール８５によって記憶される情報にアクセスし、ユーザ機器を位置決めする際に考慮に入れるように動作可能である。
【００７４】
運用保守モジュール８９は、ＬＣＳサーバ１１の動作パラメータを設定し、記憶するためにコアネットワーク７内のＯＡＭエンティティとインタフェースするように動作可能である。運用保守モジュール８９によって記憶される動作パラメータは、例えば、中継ノードセル及びその一意識別子（例えば、ＥＣＧＩ）のリストと、移動セルを含む中継ノードセルのための構成データと、サポートされる位置決め方法とを含む。
【００７５】
上記の説明において、移動中継ノード３、ドナー基地局５及びＬＣＳサーバ１１は、理解するのを容易にするために、幾つかの個別のモジュール（通信制御モジュール及び位置特定サービスモジュール等）を有するように説明されている。これらのモジュールは、或る特定の応用形態、例えば、既存のシステムを変更して本発明を実施した場合にこのようにして設けることができるが、他の応用形態、例えば、最初から本発明の特徴を念頭に置いて設計されたシステムでは、これらのモジュールは、オペレーティングシステム又はコード全体の中に組み込むことができるので、これらのモジュールは個別のエンティティとして区別できない場合がある。これらのモジュールは、ソフトウェア、ハードウェア、ファームウェア又はこれらの組み合わせにおいて実施することもできる。
【００７６】
位置特定サービスアーキテクチャ
図５は、図１に示されるシステム内でそれに基づいて位置特定サービスを提供することができる参照モデルを概略的に示す。図示されるように、ＬＣＳクライアント１３は、ＬＣＳサーバ１１から、ターゲット移動電話４の位置情報を要求する。受信された要求に基づいて、ＬＣＳサーバ１１及びターゲット移動電話４によって位置決めが実行され、その位置決めは通常、そのターゲット移動電話４を現在サービングしているセル又は基地局の地理的場所を考慮に入れる。
【００７７】
ＬＣＳサーバ１１及びターゲット移動電話４は、ＬＣＳクライアント１３に返送される任意の位置決め応答がターゲット移動電話４のユーザによって選択されるか、又はネットワーク事業者によってあらかじめ設定されるプライバシー設定を考慮に入れることができるように、プライバシー制御も実行する。それゆえ、位置特定情報はターゲット移動電話４の地理的場所に関係しているが、そのような情報の提供は、ＬＣＳクライアント１３とＬＣＳサーバ１１との間で実行される。しかしながら、或る特定の場合には、ＬＣＳクライアント１３は、ターゲット移動電話４自体において実現される場合がある。いずれの場合でも、ＬＣＳサーバ１１は、ターゲット移動電話４に関する地理的場所を入手し、その最中に、ターゲット移動電話４をサービングする移動中継ノード３（又は基地局５）の現在の場所を考慮に入れる。
【００７８】
図示されないが、ＬＣＳサーバ１１とターゲット移動電話４との間の通信リンク内に、基地局、又はこの例では、ドナー基地局５及び移動中継ノード３のような他のネットワーク要素が存在する。さらに、位置決め機能は、通常の実施態様において、ＬＣＳサーバ１１及びターゲット移動電話４によって実行されるように示されるが、ユーザ機器が関与することなく、ＬＣＳサーバ１１と、ターゲット移動電話４をサービングする基地局との間で実行することができる。
【００７９】
図６は、ＬＴＥ標準規格に従って動作する通信システム内の位置決めアーキテクチャを概略的に示す。このアーキテクチャでは、エンハンストサービングモバイルロケーションセンタ（Ｅ−ＳＭＬＣ）１１ａノード及びＳＵＰＬ（セキュアユーザプレーンロケーション）位置特定プラットフォーム（ＳＬＰ）１１ｂノードがＬＣＳサーバ１１機能を実行し、すなわち、ターゲット移動電話４の場所を得るために必要とされる全体的な協調及び計算を管理する。Ｅ−ＳＭＬＣ１１ａノード及びＳＬＰ１１ｂノードは、２つのスタンドアローン要素として実現することができるか、又は任意の他のネットワーク要素（複数の場合もある）の一部として実現することができる。代替的には、Ｅ−ＳＭＬＣ１１ａ及びＳＬＰ１１ｂエンティティは、１つのユニットとして組み合わせることができ、その場合、Ｅ−ＳＭＬＣ／ＳＬＰエンティティと呼ばれる。
【００８０】
別々に実現される場合には、ＳＬＰ１１ｂは、任意の標準又は専用インタフェースを介してＥ−ＳＭＬＣ１１ａに接続することができる。ＳＬＰ１１ｂとユーザ機器４との間の通信は、いわゆる、ＳＵＰＬベアラを介して達成される。ユーザ機器４と移動中継ノード３との間、移動中継ノード３とドナー基地局５との間、及びドナー基地局５とＭＭＥ９との間には、標準的なインタフェースが存在する。
【００８１】
ＬＴＥ位置決めアーキテクチャの他方の端部では、ＬＣＳクライアント１３が、Ｌｅインタフェースを用いて、ゲートウェイモバイルロケーションセンタ（ＧＭＬＣ）１５と通信する。ＧＭＬＣ１５は、ＳＬｇインタフェースを介して、ＭＭＥ９に接続される。最後に、ＭＭＥ９はＳＬｓインタフェースを介してＥ−ＳＭＬＣ１１ａと通信する。
【００８２】
図７ａは、中継ノード３が関与しないときに、図１に示されるシステム内で用いるための例示的なＬＰＰａプロトコルスタックを概略的に示す。
【００８３】
ＬＴＥ位置決めプロトコルアネックス（ＬＰＰａ）は、Ｅ−ＳＭＬＣ１１ａと、位置決めが実行されることになるユーザ機器をサービングする基地局（この例では、ｅＮＢ５）との間で実施される。
【００８４】
ＬＰＰａメッセージが、Ｅ−ＳＭＬＣ１１ａとＭＭＥ９との間でＳＬｓインタフェースを用いて通信される。ＭＭＥ９と基地局５との間では、ＬＰＰａメッセージはＳ１シグナリング内のプロトコルデータユニット（ＰＤＵ）として搬送される。
【００８５】
最下位レイヤから最上位レイヤまで、Ｅ−ＳＭＬＣ１１ａ及びＭＭＥ９はいずれも、レイヤ１プロトコル（Ｌ１）、レイヤ２プロトコル（Ｌ２）、インターネットプロトコル（ＩＰ）、ストリーム制御伝送プロトコル（ＳＣＴＰ）及びＬＣＳアプリケーションプロトコル（ＬＣＳ−ＡＰ）を実装する。ＬＣＳ−ＡＰの代わりに、Ｓ１アプリケーションプロトコル（Ｓ１−ＡＰ）が用いられることを除いて、ＭＭＥ９と基地局５との間も同じプロトコルスタックが見られる。プロトコルスタックの最上位レイヤでは、Ｅ−ＳＭＬＣ１１ａと基地局５との間でＬＰＰａメッセージが通信される（ＭＭＥ９を通ってトランスペアレントにルーティングされる）。
【００８６】
Ｓ１−ＭＭＥインタフェースを介して、ＬＰＰａ  ＰＤＵは、以下のＳ１−ＡＰメッセージを用いて交換される。
−ダウンリンクＵＥ関連ＬＰＰＡトランスポート
−アップリンクＵＥ関連ＬＰＰＡトランスポート
−ダウンリンク非ＵＥ関連ＬＰＰＡトランスポート
−アップリンク非ＵＥ関連ＬＰＰＡトランスポート
【００８７】
上記で列挙された「ＵＥ関連」メッセージは、特定のＵＥの位置決めに関連するＬＰＰａメッセージを転送するために用いられる。「非ＵＥ関連」メッセージは、任意の移動電話のためのＯＴＤＯＡ位置決めをサポートするために、移動電話４に支援データを提供することに関連するＬＰＰａメッセージを基地局から転送するために用いられる。
【００８８】
図７ｂは、中継ノード３が関与しないときに、図１に示されるシステム内で用いるための別の例示的なＬＰＰプロトコルスタックを概略的に示す。
【００８９】
ＬＴＥ位置決めプロトコル（ＬＰＰ）は、Ｅ−ＳＭＬＣ１１ａとターゲット移動電話４との間で実施される。また、ＬＰＰメッセージは、上記で言及されたＳＬｓインタフェース及びＳ１−ＭＭＥインタフェースを用いて通信される。しかしながら、基地局５と移動電話４との間では、Ｕｕインタフェースを介してＬＰＰメッセージが交換される。
【００９０】
最下位レイヤから最上位レイヤまで、移動電話４及び基地局５はいずれも、レイヤ１プロトコル、ＭＡＣプロトコル、無線リンク制御（ＲＬＣ）プロトコル、パケットデータコンバージェンスプロトコル（ＰＤＣＰ）及びＲＲＣプロトコルを実装する。図示される最上位レイヤでは、移動電話４及びＥ−ＳＭＬＣは、ＬＰＰプロトコルを用いて、メッセージを交換し、そのメッセージはＮＡＳシグナリングとして、又はユーザデータとして搬送される。いずれにしても、ＬＰＰは、ＮＡＳ中継としての役割を果たす、基地局５及びＭＭＥ９のいずれにとってもトランスペアレントである。
【００９１】
図７ｃ及び図７ｄはそれぞれ、中継ノード３が関与するときに、本発明の実施形態を実施するための例示的なＬＰＰａ及びＬＰＰプロトコルスタックを概略的に示す。中継ノード３は、基地局５には、１つのユーザ機器として見えるので、それらの間のＵｎインタフェースは、基地局５と移動電話４との間のＵｕインタフェース上で用いられるプロトコルスタック（図７ｂを参照しながら上記で説明された）を忠実に反映する。中継ノード３が存在するとき、移動電話４と中継ノード３（移動電話４には、基地局として見える）との間でＵｕインタフェースが用いられる。図７ｃ及び図７ｄにおいて示されるように、中継ノードはそれぞれＬＰＰａプロトコル及び／又はＬＰＰプロトコルをサポートする。
【００９２】
ＬＰＰａに基づく情報提供
図８は、位置決め情報要求が受信されたときに、ＬＰＰａプロトコルを用いて、通信システム１の構成要素によって実行される方法を示す例示的なタイミング図である。
【００９３】
この実施形態では、初期ステップＳ８００において示されるように、そのセル（複数の場合もある）内の移動電話又は他のそのようなユーザ機器にサービスを提供するために、ＭＲＮ３が（そのＤｅＮＢ登録モジュール４４を用いて）ドナー基地局５に登録する。ステップＳ８０１において、ＬＣＳサーバ１１（Ｅ−ＳＭＬＣ／ＳＬＰ等）の位置特定サービスモジュール８４が、ユーザ機器のターゲットアイテム（例えば、移動電話４）に関する位置決め要求を受信する。位置決め要求はＬＣＳクライアント１３（それは、例えば、移動電話４、基地局５、ＭＭＥ９、ＧＭＬＣ１５等内で実施することができる）によって生成され、既知の通信技法を用いてＬＣＳサーバ１１に送達される。その際、位置特定サービスモジュール８４は位置決め要求を処理し、利用可能な位置決め方法のうちの１つによる手順を開始する。
【００９４】
上記で言及されたように、これらの位置決め方法のうちの１つは、Ｅ−ＣＩＤ測定に基づく。ステップＳ８０３に示されるように、位置特定サービスモジュール８４がこの方法に従う場合には、ＬＣＳサーバ１１は、ＬＰＰａプロトコルに従ってフォーマットされた「Ｅ−ＣＩＤ測定開始要求」を生成し、中継ノード３に送信する。これは、ＵＥ専用手順であるので、ＬＰＰａ  ＰＤＵは、ＭＭＥ９及びＤｅＮＢ５によって、ＭＲＮ３にトランスペアレントに渡される。
【００９５】
ステップＳ８０５において、中継ノード３は、同じくＬＰＰａプロトコルに従ってフォーマットされた「Ｅ−ＣＩＤ測定開始応答」メッセージを生成し、ＬＣＳサーバ１１に返送する。また、中継ノード３は、この応答メッセージ内に、ターゲット移動電話４が移動セル内に位置するという指示（例えば、「移動セル指示」ＩＥ等を用いる）も含み、ターゲット移動電話４を識別する情報（例えば、ＵＥ  ＩＤ）、セル識別子（例えば、ＥＣＧＩ）、及びユーザ機器のアイテムであるかのように移動中継ノード３を識別する情報（例えば、ＭＲＮ  ＵＥ  ＩＤ）も含む。この実施形態では、含まれる情報は、「Ｅ−ＣＩＤ測定開始応答」メッセージ内の情報要素内に、例えば、「Ｅ−ＵＴＲＡＮアクセスポイント位置」又は他の情報要素内に埋め込まれる。
【００９６】
オプションでは、ターゲット移動電話４をサービングするセルの現在の地理的座標も、（例えば、ＭＲＮ内に設けられる位置決めモジュール等から既知である場合には）「Ｅ−ＵＴＲＡＮアクセスポイント位置」ＩＥのような情報要素内で与えられる。しかしながら、そのような地理的座標が与えられない場合（例えば、それらが入手できないことによる）には、ＬＣＳサーバ１１のＵＥ位置決めモジュール８７が、オプションで、ＭＲＮ３がＤｅＮＢのセル内で動作しているユーザ機器であるかのように、ＭＲＮ３の位置決めを実行することによって、ＤｅＮＢが運用するＭＲＮ及び／又はセル（複数の場合もある）に関する位置を導出することができる。
【００９７】
ステップＳ８０３において要求された測定のタイプによるが、例えば、反復するか、又は定期的な位置特定要求の場合には、ＭＲＮ３は、更なる「Ｅ−ＣＩＤ測定報告」ＬＰＰａメッセージ（複数の場合もある）をＬＣＳサーバ１１に送信することができる。Ｅ−ＣＩＤ測定報告は、例えば、基地局（又はＭＲＮ）受信機／送信機時間差のＥ−ＵＴＲＡＮ測定、及び／又は基地局に報告されるＵＥ測定（例えば、基準信号受信電力（ＲＳＲＰ）、基準信号受信品質（ＲＳＲＱ）、ＵＥ受信機／送信機時間差等）のような、セル内の移動電話の相対的な位置決めの精度を改善するための測定値を含むことができる。ステップＳ８０７において示されるように、そのようなメッセージ（複数の場合もある）も、オプションで、「Ｅ−ＵＴＲＡＮアクセスポイント位置」情報要素を、それゆえ、ステップＳ８０５において言及された、ターゲット移動電話４をサービングするセルの最新の地理的座標（既知である場合）、ターゲット移動電話４を識別する情報（例えば、ＵＥ  ＩＤ）、セル識別子（例えば、ＥＣＧＩ）及び／又は移動中継ノード３を識別する情報（例えば、ＭＲＮ  ＵＥ  ＩＤ）を搬送することもできる。
【００９８】
ステップＳ８０９に示されるように、ＬＣＳサーバ１１は、適切な終了要求（例えば、関連する標準規格において記述される「Ｅ−ＣＩＤ測定終了コマンド」ＬＰＰａメッセージ）を用いてＥ−ＣＩＤ測定手順を終了する。
【００９９】
ＬＣＳサーバ１１（すなわち、位置特定サービスモジュール８４）は、ステップＳ８０３〜Ｓ８０９に関して記述された「Ｅ−ＣＩＤ測定」方法の代わりに（又はこの方法に加えて）、他の位置決め方法のうちの１つを選択することもできる。例えば、ＬＣＳサーバ１１は、上記で紹介され、図８のステップＳ８１３〜Ｓ８１７において示されるような、「ＯＴＤＯＡ情報交換」方法を用いることができる。この場合、ステップＳ８１３に示されるように、ＬＣＳサーバ１１は、ＬＰＰａプロトコルに従ってフォーマットされた「ＯＴＤＯＡ情報要求」を生成し、ドナー基地局５の位置特定サービスモジュール６７に送信する。３ＧＰＰ  ＴＳ３６．３００標準規格（セクション４．７．４）において提示されるように、全ての非ＵＥ専用Ｓ１−ＡＰ手順はＤｅＮＢにおいて終了され、ＲＮとＤｅＮＢとの間、及びＤｅＮＢとＭＭＥ（複数の場合もある）との間でローカルに処理される。それゆえ、ＭＭＥからＳ１非ＵＥ専用メッセージを受信すると、ＤｅＮＢは、ＭＲＮ３のようなＲＮに対する対応するＳ１非ＵＥ専用手順（複数の場合もある）をトリガすることができる。
【０１００】
それゆえ、ステップＳ８１５において、ＤｅＮＢ５の位置特定サービスモジュール６７において、ＯＴＤＯＡ情報交換非ＵＥ専用メッセージが受信され、終了されるとき、ＭＲＮ３への対応するメッセージがオプションでトリガされる。次に、ステップＳ８１７において、応答メッセージ（この例では、「ＯＴＤＯＡ情報応答」ＬＰＰａメッセージ）を生成し、ＭＭＥ９を介して、Ｅ−ＳＭＬＣ／ＳＬＰ１１に送信することによって、ＤｅＮＢ５はＬＣＳサーバ１１に応答する。このメッセージにおいて、ＤｅＮＢ５は、位置決め基準信号（ＰＲＳ）をブロードキャストする（ＭＲＮ３の）各セルの詳細を含む。既知である場合には、ターゲット移動電話４をサービングするセルの地理的座標を、「Ｅ−ＵＴＲＡＮアクセスポイント位置」ＩＥにおいて与えることもできる。また、ＤｅＮＢ５は、応答メッセージ内で（例えば、「ＯＴＤＯＡセル情報」ＩＥの変更されたバージョン内で）、セル識別子（例えば、ＥＣＧＩ）に加えて、中継ノード３の識別情報（ＭＲＮ  ＵＥ  ＩＤ）を（例えば、「移動セル指示」ＩＥ等を用いて）含むことによって、サービングセルが移動セルであることも指示する。ＬＣＳサーバ１１は、移動セルの最新の地理的場所を判定するために、ＭＲＮ３をＤｅＮＢ５のセル内のユーザ機器として扱うことによって、ＭＲＮ  ＵＥ  ＩＤ（又は他の適切な識別子）を用いて、ＭＲＮ３の位置決めを実行できるようになる。
【０１０１】
ステップＳ８１９において、ＬＣＳサーバ１１は、必要な情報（すなわち、ステップＳ８０５、Ｓ８０７及び／又はＳ８１７において含まれる情報要素（複数の場合もある））を受信した後に、与えられた地理的座標から、又はＭＲＮ３（ＭＲＮ  ＵＥ  ＩＤによって識別される）がＤｅＮＢ５のセル内で動作するターゲットユーザ機器として扱われる位置決め手順を実行することによって（すなわち、そのＵＥ位置決めモジュール８７を用いることによって）、ＭＲＮ３によって運用されるセルの最新の位置を判定することができる。それゆえ、ターゲットユーザ機器（この例では、移動電話４）に関する位置を判定することができ、ＬＣＳサーバ１１は、位置特定サービス応答を生成し、ターゲット移動電話４に関する位置決めサービスを当初に要求したＬＣＳクライアントに返送する。
【０１０２】
移動セル専用手順に基づく情報提供
図８を参照しながら上記で記述された変更ＬＰＰａ手順を用いる代わりに、以下の例では、ＭＲＮ３に関連する情報及びその移動性が、新たな、移動セル専用の、ＬＰＰａに基づく情報交換手順（以下の説明において、「移動セル情報交換」手順と呼ばれる）において与えられる。通信システム１において移動セル情報交換手順は、変更ＬＰＰａ手順（例えば、図８を参照しながら図示及び説明された）又は変更ＬＰＰ手順（例えば、図１０を参照しながら図示及び説明される）を実施することの代替形態として、実施することができ、変更ＬＰＰａ及び／又はＬＰＰ手順を実施することに加えて、通信システムにおける移動セル情報交換手順を実施することもできることが理解されよう。
【０１０３】
図９ａ及び図９ｂはそれぞれ、「移動セル情報交換」手順の異なるそれぞれの異形を用いてＬＣＳサーバを更新するための例示的なシグナリング図を示す。これらの手順は、ＭＲＮが位置する乗り物の移動に起因して、図１に示される移動中継ノードとドナー基地局との間で接続状態の変化が生じるときに特定の利点を有する。
【０１０４】
具体的には、この例では、ＤｅＮＢ５によってサービングされる各ＭＲＮ３によってサービングされる移動セルのリストに（例えば、ハンドオーバに起因して、及び／又は中継ノードがカバレッジから外れることに起因して）変更があるとき、各ＤｅＮＢ５はＬＣＳサーバ１１に通知するように構成される。例えば、古いＤｅＮＢは、「移動セル情報交換」手順を用いて、ＬＣＳサーバ１１に、ＭＲＮ３が古い基地局５によってもはやサービングされていないことを指示することができる。さらに、ＭＲＮ３がハンドオーバした新たなＤｅＮＢは、「移動セル情報交換」手順を用いて、新たなＤｅＮＢを介して位置決め手順を開始できるように、これをＬＣＳサーバ１１に指示することができる。
【０１０５】
図９ａに示される例において、ＭＲＮ３のセル（複数の場合もある）内の移動電話４がＤｅＮＢ５を介して通信ネットワーク１へのアクセスを与えられると仮定される。ステップＳ９００において、ＭＲＮ３はＤｅＮＢ５に登録し、ＤｅＮＢにそのセルのリストを指示する。登録が完了した後に、ステップＳ９０１において、ＤｅＮＢ５の位置特定サービスモジュール６７は、情報交換ＬＰＰａメッセージ（「移動セル情報」を付される）を生成し、ＬＣＳサーバ１１の移動セル登録モジュール８５に（ＭＭＥ９を介して）送信する。そのメッセージは、ユーザ機器のアイテムであるかのように中継ノードを識別する情報（例えば、ＭＲＮ  ＵＥ  ＩＤ）と、中継ノードによって運用されるセル（複数の場合もある）を識別する情報（例えば、ＥＣＧＩ、又はＥＣＧＩのリスト）とを含む。明示されないが、「移動セル情報」ＬＰＰａメッセージは、この例では、Ｓ１−ＭＭＥインタフェースを介して「アップリンク非ＵＥ関連ＬＰＰＡトランスポート」メッセージを用いて、及びＳＬｓインタフェースを介して「ＬＣＳ−ＡＰコネクションレス情報」メッセージを用いてコンテナとして送信することができる。
【０１０６】
ステップＳ９０２において、ＬＣＳサーバ１１（すなわち、移動セル登録モジュール８５）は、例えば、これらの移動セルのうちの１つによってサービングされるターゲット移動電話４に関する位置決め要求に応答するときに将来使用するため、受信された中継ノードを識別する情報及び移動セルのリストを記憶する。
【０１０７】
図９ｂの例では、ステップＳ９０３において、ＤｅＮＢ５がその制御下にある任意の移動セルについての情報を与えることを要求するために、情報要求ＬＰＰａメッセージ（「移動セル情報要求」メッセージと呼ばれる）をＤｅＮＢ５に実効的に送信することによって、ＬＣＳサーバ１１（この例では、Ｅ−ＳＭＬＣ／ＳＬＰ）の移動セル登録モジュール８５によって情報交換手順が開始される。ステップＳ９０４において、ＤｅＮＢ５は、応答ＬＰＰａメッセージ（「移動セル情報応答」メッセージと呼ばれる）を生成し、ＬＣＳサーバ１１に送信することによって、その要求に応答する。移動セル情報応答メッセージは、ＤｅＮＢの制御下で現在動作しているＭＲＮごとに、そのＭＲＮを識別する情報（例えば、ＭＲＮ  ＵＥ  ＩＤ）と、そのＭＲＮによって運用されるセル（複数の場合もある）を識別する情報（例えば、ＥＣＧＩ又はＥＣＧＩのリスト）とを含む。明示されないが、移動セル情報応答メッセージは、この例では、Ｓ１−ＭＭＥインタフェースを介して「アップリンク非ＵＥ関連ＬＰＰＡトランスポート」メッセージを用いて、及びＳＬｓインタフェースを介して「ＬＣＳ−ＡＰコネクションレス情報」メッセージを用いてコンテナとして送信することができる。
【０１０８】
ステップＳ９０５において、移動セル登録モジュール８５は、ステップＳ９０４において受信された、移動セル情報（そのＭＲＮを識別する情報（例えば、ＭＲＮ  ＵＥ  ＩＤ））と、そのＭＲＮによって運用されるセル（複数の場合もある）を識別する情報（例えば、ＥＣＧＩ又はＥＣＧＩのリスト）とを更新する。
【０１０９】
ステップＳ９０６において、新たなＭＲＮ３がＤｅＮＢ５で登録し、ＤｅＮＢ５にそのセルのリストを指示する。この登録に応答して、ＤｅＮＢ５は（例えば、その中継ノード管理モジュール６５及びその位置特定サービスモジュール６７を用いて）、情報更新ＬＰＰａメッセージ（「移動セル情報更新」メッセージと呼ばれる）を生成し、ＬＣＳサーバ１１に送信する。情報更新ＬＰＰａメッセージは、このメッセージ内に、新たなＭＲＮ５を識別する情報（例えば、ＭＲＮ  ＵＥ  ＩＤ）と、ＭＲＮ５によって運用されるセル（複数の場合もある）を識別する情報（例えば、ＥＣＧＩ又はＥＣＧＩのリスト）とを含む。ＤｅＮＢ５は、移動セル情報更新メッセージ内に、新たに登録されたＭＲＮ５を含む、このドナー基地局５で現在登録されているＭＲＮごとの情報を含む。
【０１１０】
同様に、明示されないが、ＭＲＮ３がＤｅＮＢ５から離れるのに応答して（例えば、カバレッジから外れるか、又はハンドオーバすることによる）、ＤｅＮＢ５は（例えば、その中継ノード管理モジュール６５及びその位置特定サービスモジュール６７を用いて）、情報更新ＬＰＰａメッセージを生成し、ＬＣＳサーバ１１に送信する。情報更新ＬＰＰａメッセージは、移動セル情報更新メッセージ内に、ＤｅＮＢ５から離れたＭＲＮ５を除外する、このドナー基地局５で現在登録されているＭＲＮごとの情報を含む。
【０１１１】
ステップＳ９０８において、移動セル登録モジュール８５は、ステップＳ９０７において受信された、移動セル情報（そのＭＲＮを識別する情報（例えば、ＭＲＮ  ＵＥ  ＩＤ））と、そのＭＲＮによって運用されるセル（複数の場合もある）を識別する情報（例えば、ＥＣＧＩ又はＥＣＧＩのリスト）とを更新する。
【０１１２】
移動セル情報更新メッセージの提供は、新たな中継ノードがＤｅＮＢ５で登録するか、又はＤｅＮＢ５から離れるたびに繰り返すことができる。
【０１１３】
それゆえ、ＬＣＳサーバ１１は、その後、その位置特定サービスモジュール８４が、これらの移動セルのうちの１つによってサービングされるターゲット移動電話４に関する位置決め要求に応答しているときに、記憶された移動セル情報を用いることができる。
【０１１４】
ＬＣＳサーバ１１が移動セル（複数の場合もある）についての情報を得ると（ステップＳ９０１、Ｓ９０４及びＳ９０７に関して上記で説明された）、位置特定サービスモジュール８４は、そのような移動セル（複数の場合もある）によってサービングされるターゲット移動電話４のために最も適した位置決め方法を選択することができる。例えば、位置特定サービスモジュール８４は、移動セルの現在の地理的位置（既知である）が、移動セルによってサービングされる所与のターゲット移動電話４の位置を特定するのに十分であり、それゆえ、このターゲット移動電話４に関して、所与の移動電話４の実際の地理的位置の代わりにＭＲＮ３の地理的位置を使用できると判断することができる。
【０１１５】
上記で言及されたように、専用移動情報交換手順は、ＭＲＮ３が位置する乗り物の移動に起因して、図１に示される移動中継ノード３とドナー基地局５との間で接続状態の変化が生じるときに特定の利点を有する。
【０１１６】
ＬＰＰに基づく情報提供
図１０は、位置決め情報要求が受信されるとき、ＬＰＰプロトコルを用いて、通信システム１の構成要素によって実行される方法を示す例示的なタイミング図を示す。
【０１１７】
最初に、ステップＳ１００に示されるように、ＭＲＮ３がＤｅＮＢ５での登録を実行する。ステップＳ１０１において、ＬＣＳサーバ１１の位置特定サービスモジュール８４は、ＬＣＳクライアント１３から、識別されたターゲット「ユーザ機器」がＭＲＮ３である位置特定サービス要求を受信し、その要求を処理する。ＬＣＳクライアント１３は、例えば、移動電話４、基地局５、ＭＭＥ９、ＧＭＬＣ１５又はＭＲＮ３自体に位置することができる。この例では、プロセスのこの段階において、ＬＣＳサーバ１１（Ｅ−ＳＭＬＣ／ＳＬＰ）は、位置特定サービス要求に関連するターゲットユーザ機器がＭＲＮであると判断できるようにする利用可能な情報を有しない。
【０１１８】
位置特定サービス要求に基づいて、ＬＣＳサーバ１１は、識別されたターゲットユーザ機器（この例ではＭＲＮ３）に対する位置決め手順を開始する。それゆえ、ステップＳ１０２において、ＬＣＳサーバ１１のＵＥ位置決めモジュール８７は、ＭＲＮ３がＤｅＮＢ５のセル内のユーザ機器であるかのように、「ユーザ機器」の機能を識別する情報に関する要求（例えば、「機能要求ＬＰＰメッセージ」）を生成し、ＭＲＮ３に送信する。
【０１１９】
ステップＳ１０３において、ＭＲＮ３は、ユーザ機器のように動作し、機能情報を与えるメッセージ（例えば、「機能提供」メッセージ）を生成し、ＬＣＳサーバ１１に送信する。ＭＲＮ３は、このメッセージ内に、「ユーザ機器」が移動セルを運用しているという指示（例えば、「移動セル指示」情報要素を用いる）と、ＭＲＮが運用するセルを識別する情報又はセルのリスト（例えば、ＥＣＧＩ又はＥＣＧＩのリスト）とを含む。この情報は、「ユーザ機器」がＭＲＮ３であることと、ＭＲＮ３によって運用される移動セル（複数の場合もある）の識別情報とをＬＣＳサーバ１１に通知する役割を果たす。
【０１２０】
このいわゆる「位置機能転送」段階（すなわち、ステップＳ１０２及びＳ１０３）後に、その手順の残りは、「支援データ送達」段階及び「位置測定」段階を含む、ターゲット「ユーザ機器」を位置決めするための手順に従う。
【０１２１】
支援データ送達段階において、要求されることなく、又は明示的な支援情報要求（例えば、ステップＳ１０４におけるＬＣＳサーバ１１への「支援データ要求」ＬＰＰメッセージ内）に応答して、「ユーザ機器」（ＭＲＮ３）に、位置決め測定を支援する支援情報（ステップＳ１０５におけるＬＣＳサーバ１１からの「支援データ提供」ＬＰＰメッセージ内）が与えられる。
【０１２２】
位置測定段階において、ＭＲＮ３がユーザ機器であるかのように位置特定情報を収集し、この位置特定情報は、要求されることなく、又は明示的な位置特定情報要求（例えば、ステップＳ１０６におけるＬＣＳサーバ１１からの「位置特定情報要求」ＬＰＰメッセージ内）に応答して、ＬＣＳサーバ１１に与えられる（ステップＳ１０７におけるＬＣＳサーバ１１への「位置特定情報提供」ＬＰＰメッセージ内）。
【０１２３】
したがって、「支援データ送達」段階（すなわち、ステップＳ１０４及びＳ１０５）及び「位置測定」段階（すなわち、ステップＳ１０６及びＳ１０７）は、ＭＲＮ３がユーザ機器であるかのように、ＬＣＳサーバ１１とＭＲＮ３との間で実行される。
【０１２４】
ＭＲＮ３の地理的位置が得られると、ＬＣＳサーバ１１は、（その位置特定サービスモジュール８４を用いて）位置特定サービス応答を生成し、この情報を要求するＬＣＳクライアント１３に返送する。
【０１２５】
この実施形態では、任意の位置決め方法（例えば、ＯＴＤＯＡ方法、Ｅ−ＣＩＤ方法及びＡ−ＧＮＳＳ方法）を用いて、ＭＲＮ３の位置を有利に特定することができ、それゆえ、このＭＲＮ３の移動セル（複数の場合もある）によってサービングされるユーザ機器の位置を得ることができる。
【０１２６】
ＭＲＮ位置のＬＣＳサーバ発見
それゆえ、ＬＣＳサーバ１１が、特定のセルがモバイルであることを指示するとともにその移動セルに関連付けられるＭＲＮ  ＵＥ  ＩＤ及びＥＣＧＩ（複数の場合もある）を識別する情報を（任意の上記技法を用いて）受信した場合、ＬＣＳサーバ１１は、ＬＣＳクライアント１３が、移動セル内のターゲットユーザ機器４に関する位置決め情報の提供を要求するときに、これを考慮に入れることができることが明らかである。
【０１２７】
具体的には、ＬＣＳサーバ１１は、ＤｅＮＢ５の固定セル内のターゲットユーザ機器としてＭＲＮ３を扱うことによって、ＭＲＮ３に関する位置決め情報を得ることができる。
【０１２８】
例えば、図１１に示されるように、ＬＣＳサーバ１１がステップＳ１１１においてＬＣＳクライアントとしての役割を果たし、それゆえ、ステップＳ１１９においてＭＲＮ３の位置を知ることを除いて、図１０を参照しながら説明された基本的に同じＬＰＰ手順を用いて、ＬＣＳサーバ１１は、ターゲット「ユーザ機器」としてＭＲＮ３の位置決めを実行するために、ＬＣＳクライアント機能を実施することによってＭＲＮ３のための位置決め情報を得ることができる。
【０１２９】
同様に、ＬＣＳサーバ１１は、図８に示されるＥ−ＣＩＤ及び／又はＯＴＤＯＡ方法（又はＭＲＮ３が適切に装備しているなら、場合によってはＡ−ＧＮＳＳ方法）を用いて、ＤｅＮＢ５の固定セル内のターゲット「ユーザ機器」としてＭＲＮ３を扱うことによって、ＭＲＮ３に関する位置決め情報を得ることができる。
【０１３０】
変更形態及び代替形態
詳細な実施形態が上記で説明された。当業者であれば理解するように、上記の実施形態に対し、複数の変更及び代替を行うことができ、変形及び代替において具現化される本発明から依然として利益を受けることができる。
【０１３１】
図８、図９ａ及び図９ｂを参照しながら説明された実施形態に加えて、セルがモバイルであるという指示を、Ｏ＆Ｍ又はＥ−ＵＴＲＡＮの外部にある他の機構を通してＬＣＳサーバに送達することができる。例えば、ＬＣＳサーバは、３ＧＰＰ  ＴＳ３６．３０５（リリース１０）標準規格のセッション８．２．２．２に記述される手順に基づくメカニズムを介してセルの地理的座標を特定することができる。
【０１３２】
セルがモバイルであるという明確な指示を用いるのではなく、指示は、例えば、移動中継セルのために明確に予約された範囲に属する物理セル識別（ＰＣＩ）を用いることによって、間接的に与えられる場合がある。ＬＣＳサーバが、その後、ＭＲＮを位置決めできるようにするために、同じＯ＆Ｍ（又は外部の）機構を用いて、ＬＣＳサーバにＭＲＮ  ＵＥ  ＩＤを与えることができる。
【０１３３】
上記の実施形態では、ＭＲＮ３がユーザ機器であるかのように、ＭＲＮ３を位置決めできるようにする「ＵＥ」識別子を与えるが、ＭＲＮ３を位置決めするＥ−ＣＩＤ方法及びＯＴＤＯＡ方法がサポートされない簡略化された実施形態では、ＭＲＮ  ＵＥ  ＩＤが与えられる必要はないことが理解されよう。そのような場合、ＵＥ位置決めをＡ−ＧＮＳＳのみに限定する場合があるが、移動セルの移動の知識を必要とするＥ−ＳＭＬＣ／ＳＬＰの複雑さが回避される。
【０１３４】
しかしながら、この簡略化された実施形態では、Ｅ−ＳＭＬＣ／ＳＬＰが、どのセルがモバイルであるかを知っている場合を除いて、これらの方法のためのＬＰＰ手順又はＬＰＰａ手順を依然として開始する場合がある。したがって、Ｅ−ＳＭＬＣ／ＳＬＰが、どのセルがモバイルであるかを知っていることが更に利点を有する。
【０１３５】
図１２に示されるように、例えば、Ｅ−ＣＩＤ及びＯＴＤＯＡがサポートされていない実施形態の場合、セルがモバイルであるという指示は、位置決め要求に応答して、具体的な失敗理由（例えば、「セルがモバイルである」又は「全てのセルがモバイルである」）を返送することによって、ＬＣＳサーバに与えることができる。図１２に示されるステップは、全体的に図８に示されるステップに対応する。しかしながら、この場合、ステップＳ１２４において中継ノードによって、先行する「Ｅ−ＣＩＤ測定開始要求」に応答して失敗メッセージ（例えば、「Ｅ−ＣＩＤ測定開始失敗」ＬＰＰａメッセージ）を送信することにより、及び／又はステップＳ１２８においてドナー基地局によって、先行する「ＯＴＤＯＡ情報要求」に応答して失敗メッセージ（例えば、「ＯＴＤＯＡ情報失敗」ＬＰＰａメッセージ）を送信することにより、具体的な失敗理由が与えられる。失敗メッセージは、ターゲットユーザ機器が位置するセルがモバイルであったために失敗が生じたことを指示する具体的な「理由」情報要素（例えば、「セルがモバイルである」又は「全てのセルがモバイルである」）を含むことができる。
【０１３６】
ステップＳ１２７に示されるように、ＯＴＤＯＡ手順の場合、ドナー基地局は、セル識別子（例えば、ＥＣＧＩ）に加えて、サービングセルが移動セルであるという指示を含む「ＯＴＤＯＡ情報応答」ＬＰＰａメッセージ（例えば、「移動セル指示」ＩＥ等を用いる）を生成し、送信することによって、ＬＣＳサーバに応答することができる。これは、中継ノードが移動しているために、指示されたセル（複数の場合もある）においてＯＴＤＯＡ位置特定サービスが利用できないことをＬＣＳサーバに実効的に通知することになる。
【０１３７】
しかしながら、明示的な失敗メッセージを待つのではなく、図１３ａに示されるように、ドナー基地局は、移動セルの指示（例えば、ＥＣＧＩのリスト）をＬＣＳサーバに積極的に送信し（ステップＳ１３１）、専用移動情報交換手順（図９ａに示される手順に類似であるが、ＭＲＮ  ＵＥ  ＩＤを与えない）を用いて、位置特定サービスが利用できない中継ノードセルについてＬＣＳサーバに通知することができる。同様に、図１３ｂに示されるように、移動セルの指示は、ＬＣＳサーバによって明示的な要求が受信されると、送信することもでき（ステップＳ１３４）、図９ｂに示される手順と同じようにして（ＭＲＮ  ＵＥ  ＩＤを与えないが）、ＭＲＮ（複数の場合もある）及び／又は関連付けられる移動セルに変更があるときに更新することができる。
【０１３８】
上記で説明されたように、図１２、図１３ａ及び図１３ｂに示される手順に関連付けられる利点は、ＬＣＳサーバが、１つのその移動セル内に位置するユーザ機器のターゲットアイテムに関する位置特定要求を受信するときに、Ｅ−ＣＩＤ又はＯＴＤＯＡ手順を用いてそのようなユーザ機器を位置決めしようと試みる必要がないように、通信システム内でどのセルがモバイルであるかを追跡することができ、それにより、不要なシグナリングを回避し、既に移動セルであることがわかっているセルにおける位置決め失敗を防ぐことである。
【０１３９】
しかしながら、失敗理由又は移動セル指示を受信するときに、ターゲットユーザ機器をサービングしている中継ノードの移動セル（複数の場合もある）を位置決めするために、ＬＣＳサーバは、図１１を参照しながら説明された手順を開始できることは理解されよう。
【０１４０】
図１４は、ステップＳ１４０において、「位置特定要求」メッセージをＬＣＳサーバに送信することによって、移動中継ノードに対する位置決め要求が、ドナー基地局によって、又は中継ノード自体によって自律的に開始される実施形態を示す。例えば、中継ノードは、起動を実行すると直ちに、このメッセージを生成し、（ドナー基地局を介して）送信することができる。代替的には、ドナー基地局は、中継ノードがそのセルのうちの１つに接続されると直ちに、「位置特定要求」メッセージを生成し、送信することができる。いずれの場合でも、ＬＣＳサーバは、一般的にステップＳ１４１において、利用可能な位置決め技法（例えば、Ｅ−ＣＩＤ、ＯＴＤＯＡ及びＡ−ＧＮＳＳ方法）のいずれかを用いて、中継ノードがユーザ機器のアイテムであるかのように、中継ノードの位置決めを開始し、実行する。ステップＳ１４２において、ＬＣＳサーバは、「位置特定応答」メッセージを生成し、ドナー基地局（及びオプションで中継ノード）に送信することによって、中継ノードの位置特定を与える。
【０１４１】
ネットワーク内のＬＣＳサーバは、中継ノードセル（複数の場合もある）の地理的場所を知る必要があるので（例えば、その中でサービングされるユーザ機器に対する後続の位置特定要求を実行するために）、ステップＳ１４３において、ドナー基地局は、セル（複数の場合もある）の一意識別情報（例えば、ＥＣＧＩ又はＥＣＧＩのリスト）と、中継ノードの最新の地理的場所とを含む、「移動セル位置」ＬＰＰａメッセージを生成し、送信する。このメッセージは、ＭＭＥを介して、ドナー基地局がアタッチされた各Ｅ−ＳＭＬＣ／ＳＬＰに転送される。また、この情報は、タイムスタンプ、速さ及び進行方向とともに現在の地理的座標、更に、ＭＲＮ又はＤｅＮＢにとって既知である場合には、所定の経路情報のような、情報も含むことができる。ステップＳ１４４において、ＬＣＳサーバは、将来に使用するために、受信された情報を記憶する。
【０１４２】
オプションで、ステップＳ１４７において、セルの更新されたリスト及び更新された地理的場所をＬＣＳサーバ（複数の場合もある）に与えることができるように、ステップＳ１４５に示されるように、ＭＲＮの位置決めが繰り返される（例えば、定期的、又はＭＲＮ、ＤｅＮＢ及びＬＣＳサーバのうちのいずれか１つによる要求時）。ステップＳ１４８において、ＬＣＳサーバは、更新されたセル及び位置特定情報を記憶する。通信システム内に１つのＬＣＳサーバしか存在しない場合には、又は全てのＬＣＳサーバを更新する必要がない場合には、ステップＳ１４３及びＳ１４７を省くことができることは理解されよう。
【０１４３】
さらに、図１５に示されるように、中継ノードの移動セル内でサービングされるターゲット移動電話を位置決めする代わりに（又はその前に）、上記の実施形態を用いて、移動中継ノードを位置決めできることは理解されよう。例えば、ＭＲＮは、自らがサービングしているユーザ機器を対象にする位置決め要求を傍受し、代わりに自らを位置決めすることができる。詳細には、ＭＲＮは、制御プレーン位置決め方法のために交換されるＬＰＰメッセージを傍受することができる。それゆえ、この場合には、中継ノードが、自らがサービングしているユーザ機器に対するＬＰＰプロトコルを終了し、代わりにＬＣＳサーバに応答する。中継ノードの位置決めは、図１０を参照しながら説明された手順に従って実行することができる。これは、移動セル内に現在位置しているユーザ機器に対して有利に位置決めを実行できるようにする。
【０１４４】
上記の実施形態において、単一のモビリティ管理エンティティ及び単一の位置特定サービスサーバが論じられてきた。しかしながら、展開されたシステム内に複数のそのようなエンティティが存在する場合があることは理解されよう。例えば、異なるユーザ機器（又はユーザ機器をサービングする基地局／中継ノード）が異なるモビリティ管理エンティティに接続される場合がある。異なる位置特定サービスクライアントが、異なる位置特定サービスサーバと通信する場合もあり、各サーバが、同じ又は異なるモビリティ管理エンティティに接続される場合がある。いずれの場合でも、上記の実施形態は、そのようなシステム構成においても適用可能である。
【０１４５】
さらに、上記の実施形態では、単一の移動中継ノードが論じられてきたが、展開されたシステム内に複数の中継ノードが設けられる場合があることは理解されよう。さらに、ＬＴＥユーザ機器は、２つ以上の中継ノード及び／又は基地局に同時に接続される場合があり、そのユーザ機器は、２つの隣接する中継ノード間で、又は中継ノードと基地局との間でいつでもハンドオーバする場合がある。上記の手順はそのような状況においても適用可能であることは理解されよう。
【０１４６】
移動セル情報の送信（すなわち、ステップＳ９０１、Ｓ９０４及びＳ９０７のいずれか１つ）は、ＭＲＮが基地局に登録すると、ＭＲＮごとに別々に基地局によって実行される場合がある。移動セル情報は、このドナー基地局下で現在動作している各ＭＲＮを列挙する共通のメッセージにおいて（例えば、定期的に、又は変化が生じるときに）送信される場合がある。さらに、基地局は、中継ノードがそのセル構成を変更すると（セルをオン／オフに切り替える、セルｉｄを変更する等）、又は中継ノードがドナー基地局で登録を解除すると、更新された移動セル情報を送信することができる。
【０１４７】
移動セル情報の送信（すなわち、ステップＳ９０１、Ｓ９０４及びＳ９０７のいずれか１つ）は、ＭＭＥが接続される関連付けられる各Ｅ−ＳＭＬＣ／ＳＬＰに転送するために、基地局が、アタッチされた各ＭＭＥに別々にメッセージを送信することによって実行される場合がある。例えば、コアネットワークが共有されない場合に、ＭＯＣＮ（マルチオペレータコアネットワーク）アーキテクチャにおいて無線アクセスネットワーク共有が用いられるときに、そのような個別のメッセージが必要とされる場合がある。
【０１４８】
図９ａ及び図９ｂの検討では、「移動セル情報」ＬＰＰａメッセージが記述されたが、代わりに、任意の他の（新たな、又は既存の）メッセージが用いられる場合があることは理解されよう。
【０１４９】
図９ｂを参照しながら説明された移動セル情報交換手順では、ＤｅＮＢで現在登録されている全てのＭＲＮに関する全ての情報を含むのではなく、移動セル情報更新メッセージは、全てのＭＲＮに関する情報を与えることなく、ＤｅＮＢ５に登録されたＭＲＮのリスト及び／又は関連付けられる移動セルに対する変更を識別するのに十分な情報を含むことができることは理解されよう。これは、例えば、新たに登録されたＭＲＮごとにＭＲＮ  ＵＥ  ＩＤ及びＥＣＧＩ情報を与えることによって、及び／又は削除されたＭＲＮごとに少なくともＭＲＮ  ＵＥ  ＩＤを与えることによって達成することができる。
【０１５０】
専用の情報更新メッセージ（移動セル情報更新メッセージ）を用いて、登録されたＭＲＮの変更をＥ−ＳＭＬＣ／ＳＬＰに通知する代わりに、ＤｅＮＢは、現在登録されているＭＲＮごとの移動セル情報を有する別の情報応答メッセージ（移動セル情報応答メッセージ）を送信することができることは更に理解されよう。
【０１５１】
上記の実施形態では、中継ノードが「モバイル」であるというＬＣＳサーバへの指示に、中継ノード識別子（ＭＲＮ  ＵＥ  ＩＤ）が含まれるが、他の適切な識別子を用いることができることは理解されよう。例えば、中継ノードのＩＰ若しくはＭＡＣアドレス、又は中継ノードに割り振られるか、若しくは割り当てられた任意の他の一意識別子を代わりに用いることができる。この識別子は、中継ノード若しくはドナー基地局によって、又は通信ネットワークの任意の他の要素によって与えられる場合がある。
【０１５２】
中継ノード識別子（複数の場合もある）及び移動セル識別子（複数の場合もある）を含む、本明細書において記述されるシグナリングメッセージは、簡単である、実施するのが容易である、及び必要とされるメッセージの数を最小化するという観点から有利であるが、中継ノード識別子（複数の場合もある）及び移動セル識別子（複数の場合もある）は、幾つかの異なるやり方のいずれかにおいて送信することができる。それらの識別子は、例えば、別々のメッセージにおいて送信することができか、及び／又は別々の情報要素に含むことができる。さらに、上記のシグナリングメッセージ及び／又は情報要素を変更する代わりに、中継ノード識別子（複数の場合もある）及び／又は移動セル識別子（複数の場合もある）を含む、全く新しいメッセージ及び／又は情報要素を生成することができる。
【０１５３】
上記の実施形態において、移動電話に基づく通信システムを説明した。本出願において記述されるシグナリング技法が他の通信システムにおいても利用できることは当業者には理解されよう。他の通信ノード又はデバイスは、例えば、携帯情報端末、ラップトップコンピュータ、ウェブブラウザ等のユーザデバイスを含むことができる。移動通信デバイスのために上記の中継システムが用いられることは必須ではないことは当業者には理解されよう。そのシステムを用いて、移動通信デバイスとともに、又は移動通信デバイスの代わりに、１つ又は複数の固定コンピューティングデバイスを有するネットワークにおいて基地局のカバレッジを拡張することができる。
【０１５４】
上記の実施形態において、移動中継ノードが説明されてきたが、それらのノードは任意のタイプの中継ノード、すなわち、非移動ノードにも適用可能である。例えば、本発明の実施形態は、中継ノードのセル（複数の場合もある）の構成が変化する場合に、又は中継ノードがドナー基地局に接続されるか、又はドナー基地局から切断されるときに利点を有する場合がある。
【０１５５】
上述の例示の実施形態では、ＵＥ、中継局及び基地局は、それぞれトランシーバ回路を備える。通常、この回路は専用ハードウェア回路によって形成される。しかしながら、幾つかの実施形態では、トランシーバ回路の一部を、対応するコントローラによって実行されるソフトウェアとして実装することができる。
【０１５６】
上記の実施形態では、複数のソフトウェアモジュールを説明した。当業者であれば理解するように、それらのソフトウェアモジュールは、コンパイル済みの形式又は未コンパイルの形式で与えることができ、コンピュータネットワークを介して信号として、又は記録媒体において基地局又は中継局に供給することができる。さらに、このソフトウェアの一部又は全部によって実行される機能は、１つ又は複数の専用のハードウェア回路を用いて実行することもできる。
【０１５７】
種々の他の変更が当業者には明らかであり、ここでは、これ以上詳しくは説明しない。
【０１５８】
以下は、現在提案されている３ＧＰＰ標準規格において本発明を実施することができる方法の詳細な記述である。種々の特徴が必須又は必要であるものとして説明されるが、これは、例えば、提案された３ＧＰＰ標準規格によって課せられる他の要件に起因して、その標準規格の場合にのみ当てはまる場合がある。それゆえ、これらの陳述は、本発明を多少なりとも限定すると解釈されるべきではない。
【０１５９】
序論
本寄稿論文の目的は、ＬＣＳが、移動中継ノード（ＭＲＮ）に属するセルといかに機能し得るかを論じることである。
【０１６０】
考察
背景：
位置特定サービス（ＬＣＳ）は、無線信号を測定することに基づいて、ＵＥの地理的位置及び／又は速度を判定する機能を提供する。ＬＣＳは、以下の論理参照モデルに基づく［２］（図１６を参照）。
【０１６１】
ＬＣＳクライアントは、１つ又は複数のターゲットＵＥの位置特定情報を要求するエンティティである。ＬＣＳクライアント（例えば、アプリケーション）は、ＰＬＭＮ内に（例えば、ＵＥ内に）存在することもできるし、ＰＬＭＮの外部に存在することもできる。ＬＣＳサーバは、位置決め機能を用いて、ＬＣＳクライアントによって要求された位置特定情報を得る。ターゲットＵＥは、ＬＣＳサーバによって位置決めされることになる目的物である。
【０１６２】
ＬＴＥ内で、エンハンストサービングモバイルロケーションセンタ（Ｅ−ＳＭＬＣ）ノードが、ＬＣＳサーバ機能を提供し、すなわち、モバイルの位置特定のための必要とされる全体的な協調及び計算を管理する。
【０１６３】
図１７は、ＬＴＥ内のＵＥ位置決めのためのアーキテクチャの概説を示す［１］。
【０１６４】
制御プレーンの位置決め及びユーザプレーンの位置決めの両方がサポートされる。
−ユーザプレーン位置決めがセキュアユーザプレーンロケーション（ＳＵＰＬ）を用いてサポートされる。ＳＬＰ（ＳＵＰＬ位置特定プラットフォーム）は、ユーザプレーンにわたって位置決めの協調及び計算を担当するＳＵＰＬエンティティである。ＳＬＰはユーザプレーンデータ接続を介してＵＥに接続する。
−制御プレーン位置決めの場合、エンハンストサービングモバイルロケーションセンタ（Ｅ−ＳＭＬＣ）が、モバイルの位置特定のために必要とされる全体的な協調及び計算を管理する位置決めサーバノードである。Ｅ−ＳＭＬＣは制御プレーンシグナリングを用いて、ｅＮＢ及びＵＥとデータを交換する。
【０１６５】
リリース１０においてＥ−ＵＴＲＡＮのためにサポートされるＵＥ位置決め方法は以下の通りである。
−エンハンストセルＩＤ（Ｅ−ＣＩＤ）に基づく位置決め方法
○ＵＥの位置が、ＵＥをサービングするｅＮＢ及びセルの地理的座標についての知識を用いて推定される。
−観測到着時間差（ＯＴＤＯＡ）方法を用いるダウンリンク位置決め方法
○ＵＥの位置が、ＵＴＲＡＮフレームタイミングに関してＵＥによって行われた測定と、ＵＥをサービングするｅＮＢ及び／又はセルの地理的座標についての知識とを用いて、推定される。
−支援型グローバルナビゲーション衛星システム（Ａ−ＧＮＳＳ）に基づく位置決め方法
○ＧＮＳＳ機能を備えたＵＥによって用いられる。ＧＮＳＳの例は、グローバルポジショニングシステム（ＧＰＳ）及びガリレオを含む。ＧＮＳＳに加えて、ネットワーク支援を与えること、例えば、支援型ＧＰＳ（Ａ−ＧＰＳ）は、位置計算時間を数分から数秒に短縮することができる。
【０１６６】
上記の位置決め方法は、ＵＥ利用バージョン、ＵＥ支援／Ｅ−ＳＭＬＣ利用バージョン、ｅＮＢ支援／Ｅ−ＳＭＬＣ利用バージョンにおいてサポートされる場合がある。
【０１６７】
【表１】
0005988063.tif 000002
【０１６８】
上記の位置決め方法のリストからの複数の方法を用いるハイブリッド位置決めもサポートされる。
【０１６９】
用いられる位置特定プロトコルは以下の通りである。
−位置決めサーバ（Ｅ−ＳＭＬＣ／ＳＬＰ）とターゲットＵＥとの間で用いるためのＬＰＰ（ＬＴＥ位置決めプロトコル）。これは、ＮＡＳシグナリングにおいて、又はユーザデータとして搬送される。いずれにしても、ｅＮＢに対してトランスペアレントである（図１８を参照）。
−Ｅ−ＳＭＬＣとｅＮＢとの間で用いるためのＬＰＰａ（ＬＴＥ位置決めプロトコルアネックス）。これは、Ｓ１シグナリング内のＰＤＵとして搬送される（図１９を参照）。
【０１７０】
Ｓ１−ＭＭＥを介して、ＬＰＰａ  ＰＤＵは、以下のＳ１−ＡＰメッセージを用いて交換される。
−ダウンリンクＵＥ関連ＬＰＰＡトランスポート
−アップリンクＵＥ関連ＬＰＰＡトランスポート
−ダウンリンク非ＵＥ関連ＬＰＰＡトランスポート
−アップリンク非ＵＥ関連ＬＰＰＡトランスポート
【０１７１】
ＵＥ関連メッセージは、特定のＵＥの位置決めに関するＬＰＰメッセージを転送するために用いられる。非ＵＥ関連メッセージは、支援データに関するＬＰＰメッセージを転送するために用いられる。
【０１７２】
基本メッセージシーケンスは、［１］に基づいて、以下の通りである（図２０を参照）。
【０１７３】
注記：図内の破線は、その手順内のオプションであるメッセージを表す。
１．ＵＥ位置決め要求がＬＣＳクライアント（例えば、ＵＥ、ｅＮＢ、ＭＭＥ、ＧＭＬＣ）によって行われ、位置決めサーバ（Ｅ−ＳＭＬＣ／ＳＬＰ）によって受信される。このための機構は本文書には直接関連しないので、詳細には示されない。
２．Ｅ−ＳＭＬＣ／ＳＬＰが位置決め方法（複数の場合もある）を選択し、選択された方法に対して適用可能であるような必要な位置特定手順を開始する。以下の手順のうちのいずれが用いられることができるかに関して、又はそれらの手順が実行される順序に関して制約はない。それらの手順は以下の通りとすることができる。
２ａ．ＵＥ手順（ＬＰＰを使用する）
２ｂ．ｅＮＢ手順（ＬＰＰａを使用する）
ＵＥ手順：
・３つのＵＥ手順：位置機能転送、支援データ送達及び位置測定がある。
・注記：「位置特定情報要求」におけるＥ−ＳＭＬＣからの要求に応じて、「提供位置特定」メッセージが、測定情報（Ｅ−ＳＭＬＣ利用位置決め）又は場所推定（ＵＥ利用位置決め）のいずれかを提供することができる。
ｅＮＢ手順：
・２つのｅＮＢ手順：Ｅ−ＣＩＤ測定及びＯＴＤＯＡ情報交換がある。
・Ｅ−ＣＩＤ測定手順はＵＥ特有（ＵＥ専用）であり、ＯＴＤＯＡ情報交換はｅＮＢ特有（非ＵＥ専用）である。
３．その後、Ｅ−ＳＭＬＣは、要求しているＬＣＳクライアントに位置特定情報を返送する。
【０１７４】
問題：
上記のＵＥ位置決め方法をサポートするために定義される現在のシグナリング手順は高速列車上で使用するために主に用いられるモバイルＲＮに適していない場合がある。その理由は以下の通りである。
−Ｅ−ＣＩＤ及びＯＴＤＯＡのいずれの方法も、測定されるＥ−ＵＴＲＡセルの地理的座標の知識を必要とする。いずれの場合も、座標は固定されていると仮定される。
−Ａ−ＧＮＳＳ方法は、ＵＥが衛星からの受信を有する必要があり、それゆえ、空が遮られることなく見通せることが望ましい。それゆえ、列車車両内のユーザにとっての受信は問題になる可能性がある。
【０１７５】
解決策：
本文書において、以下の解決策、及びそれらの解決策を達成する方法が提案される。
【０１７６】
解決策１：Ｅ−ＳＭＬＣ／ＳＬＰが移動セル及びその移動を認識する。
−方法１．１：ＬＰＰａメッセージＥ−ＣＩＤ測定開始応答、Ｅ−ＣＩＤ測定報告及びＯＴＤＯＡ情報応答内で、どのセルがモバイルであるかを指示する。
−方法１．２：そのセルがモバイルであるという指示を、Ｏ＆Ｍ又はＥ−ＵＴＲＡＮの外部にある他の機構を通してＥ−ＳＭＬＣ／ＳＬＰに送達することができる。
−方法１．３：ＬＰＰａプロトコルを用いて、Ｅ−ＳＭＬＣ／ＳＬＰとｅＮＢとの間に新たな手順、例えば、移動セル情報交換が導入される。
○方法１．３．１：その手順はＤｅＮＢによって開始することができる。
○方法１．３．２：その手順はＥ−ＳＭＬＣによって開始することができる。
−方法１．４：Ｅ−ＳＭＬＣ／ＳＬＰが、ＵＥのための位置決め要求を実行するように求められるとき、Ｅ−ＳＭＬＣ／ＳＬＰは、ＵＥによって報告される情報に基づいて、そのＵＥが実際にはＭＲＮであることを発見する。
−方法１．５：ＭＲＮのための位置決め要求をＥ−ＳＭＬＣ／ＳＬＰ自体によって開始することができる、すなわち、Ｅ−ＳＭＬＣ／ＳＬＰが、ＵＥとしてのＭＲＮに対して、ＬＣＳクライアント及びＬＣＳサーバの両方としての役割を果たすことになる。
−方法１．６：ＭＲＮのための位置決め要求を、ＭＲＮ自体、又はそのＤｅＮＢのいずれかによって自律的に開始することができる。
【０１７７】
解決策２：ＭＲＮが、代わりに、自らがサービングするＵＥを位置決めする。
−方法２．１：ＭＲＮが、自らがサービングするＵＥのための全ての位置決め要求を傍受し、代わりに自らを位置決めする。これは、ＭＲＮが、自らがサービングするＵＥのためのＬＰＰプロトコルを終了することを意味する。
【０１７８】
解決策３：Ｅ−ＣＩＤ及びＯＴＤＯＡが移動中継に関してサポートされない。
−方法３．１：Ｅ−ＳＭＬＣ／ＳＬＰがＥ−ＣＩＤ測定開始を要求するとき、その要求は、新たな具体的な失敗理由（例えば、「セルがモバイルである」）によって失敗し、このセルがモバイルであることをＥ−ＳＭＬＣ／ＳＬＰに通知する。
−方法３．２：そのセルがモバイルであるという指示を、Ｏ＆Ｍ又はＥ−ＵＴＲＡＮの外部にある他の機構を通してＥ−ＳＭＬＣ／ＳＬＰに送達することができる。
−方法３．３：ＬＰＰａプロトコルを用いて、Ｅ−ＳＭＬＣ／ＳＬＰとｅＮＢとの間に新たな手順、例えば、移動セル情報交換が導入される。
○方法３．３．１：その手順はＤｅＮＢによって開始することができる。
○方法３．３．２：その手順はＥ−ＳＭＬＣによって開始することができる。
【０１７９】
可能性がある解決策及び方法の詳細な説明を以下に記述する。
【０１８０】
解決策１：Ｅ−ＳＭＬＣ／ＳＬＰが移動セル及びその移動を認識する
この解決策のために、Ｅ−ＳＭＬＣ／ＳＬＰは以下のことを認識する必要がある。
（１）どのセルがモバイルであるか、及び
（２）移動セルの現在の場所
【０１８１】
（１）の場合、どのセルがモバイルであるかを判定するために、以下のオプションが存在する。
【０１８２】
○方法１．１：ＬＰＰａメッセージＥ−ＣＩＤ測定開始応答、Ｅ−ＣＩＤ測定報告及びＯＴＤＯＡ情報応答内で、どのセルがモバイルであるかを指示する。
図２０のステップ２ｂ、すなわちＬＣＳ基本メッセージシーケンスにおいて示されるように、Ｅ−ＳＭＬＣ／ＳＬＰがＬＰＰａを介してセルの地理的座標を要求するとき、リリース１０ｅＮＢは、「Ｅ−ＵＴＲＡＮアクセスポイント位置」ＩＥを伴うＬＰＰａを介してセルの地理的座標を報告する。「Ｅ−ＵＴＲＡＮアクセスポイント位置」ＩＥが含まれるＬＰＰａメッセージは、Ｅ−ＣＩＤ測定開始応答メッセージ、Ｅ−ＣＩＤ測定報告メッセージ及びＯＴＤＯＡ情報応答メッセージである。
・図２０のステップ２ｂと同等のｅＮＢ手順を表す、この方法を達成するための可能性があるメッセージシーケンスが図２１に示される：
１．Ｅ−ＳＭＬＣ／ＳＬＰが、ＬＰＰａ：Ｅ−ＣＩＤ測定開始要求メッセージを用いて、特定のＵＥに関するＥ−ＣＩＤ位置決めを開始する。これはＵＥ専用手順であるので、ＬＰＰａ  ＰＤＵは、ＭＭＥとＭＲＮとの間でＭＭＥ及びＤｅＮＢによってトランスペアレントに渡される。
２．ＭＲＮがＬＰＰａ：Ｅ−ＣＩＤ測定開始応答メッセージで応答する。そのＵＥをサービングするセルの地理的座標が、オプションで、「Ｅ−ＵＴＲＡＮアクセスポイント位置」ＩＥにおいて与えられる。ＬＰＰａ：Ｅ−ＣＩＤ測定開始応答への提案される追加は、そのセルがモバイルであることを指示し、関連付けられるＭＲＮのＵＥ  ＩＤ（例えば、ＩＭＳＩ）も指示するＩＥを追加することである。ＭＲＮ  ＵＥ  ＩＤによって、Ｅ−ＳＭＬＣ／ＳＬＰは、ＭＲＮの位置決めを実行し、移動セルの場所を判定できるようになる。
３．ステップ１において要求される測定のタイプに応じて、更なるＬＰＰａ：Ｅ−ＣＩＤ測定報告メッセージを送信することができる。このメッセージは、オプションで、「Ｅ−ＵＴＲＡＮアクセスポイント位置」ＩＥを含むこともでき、それゆえ、ステップ２において言及されたような同じ更なるＩＥがＬＰＰａ：Ｅ−ＣＩＤ測定報告の場合にも提案される。
４．Ｅ−ＣＩＤ測定終了が、これまで通りに実行される。
５．Ｅ−ＳＭＬＣ／ＳＬＰが、ＬＰＰａ：ＯＴＤＯＡ情報要求を用いて、ｅＮＢから情報を要求することができる。これは、ＴＳ３６．３００において述べられるように、非ＵＥ専用手順であるので、ＤｅＮＢは、ＲＮ（複数の場合もある）への対応するＳ１非ＵＥ専用手順（複数の場合もある）をトリガすることができる。
６．ＤｅＮＢがＬＰＰａ：ＯＴＤＯＡ情報応答メッセージで応答する。ＰＲＳをブロードキャストする各セルの詳細が含まれる。ＵＥをサービングするセルの地理的座標は、必須の「Ｅ−ＵＴＲＡＮアクセスポイント位置」ＩＥにおいて与えられる。ＬＰＰａ：  ＯＴＤＯＡ情報応答への提案される追加は、そのメッセージ内、例えば、「ＯＴＤＯＡセル情報」ＩＥ内のいずれかの場所に、そのセルがモバイルであることを指示し、ＭＲＮのＵＥ  ＩＤ（例えば、ＩＭＳＩ）も指示するＩＥを追加することである。ＭＲＮ  ＵＥ  ＩＤによって、Ｅ−ＳＭＬＣ／ＳＬＰは、ＭＲＮの位置決めを実行し、移動セルの場所を判定できるようになる。
【０１８３】
○方法１．２：そのセルがモバイルであるという指示を、Ｏ＆Ｍ又はＥ−ＵＴＲＡＮの外部にある他の機構を通してＥ−ＳＭＬＣ／ＳＬＰに送達することができる：
・Ｅ−ＳＭＬＣ／ＳＬＰが、リリース１０における類似の既存の機構を介して、セルの地理的座標を既に判定することができる。ＴＳ３６．３０５のセッション８．２．２．２を参照のこと［１］。
・そのセルがモバイルであるという指示は、例えば、移動中継セルのために明確に予約された範囲に属するＰＣＩを用いることによって、直接パラメータ又は間接パラメータとすることができる。
・Ｅ−ＳＭＬＣ／ＳＬＰがその後、ＭＲＮを位置決めできるようにするために、同じＯ＆Ｍ／外部機構を介して、Ｅ−ＳＭＬＣ／ＳＬＰにＭＲＮのＵＥ  ＩＤ（例えば、ＩＭＳＩ）も与える必要がある。
【０１８４】
○方法１．３：ＬＰＰａプロトコルを用いて、Ｅ−ＳＭＬＣ／ＳＬＰとｅＮＢとの間に新たな手順、例えば、移動セル情報交換が導入される。
方法１．３．１：その手順はＤｅＮＢによって開始することができる（図２２を参照）。
ＤｅＮＢにアタッチされたＭＲＮによってサービングされる移動セルのリストに変更があるたびに（例えば、ＭＲＮがＤｅＮＢのサービスに入るか、又はＤｅＮＢのサービスから離れる）、ＤｅＮＢは、新たな移動セル情報を含む、新たなＬＰＰａメッセージ、例えば、移動セル情報を各Ｅ−ＳＭＬＣに送信することができる。
新たなメッセージは、Ｅ−ＳＭＬＣがＭＲＮ自体のＵＥ位置決めを実行できるようにするために各ＭＲＮのＵＥ  ＩＤ（例えば、ＩＭＳＩ）と、そのＭＲＮの制御下にあるセルのリスト（例えば、Ｅ−ＣＧＩ）とを含む必要がある。
新たなメッセージは、ＤｅＮＢから、アタッチされた各ＭＭＥに送信することができ、ＭＭＥは、そのメッセージを、ＭＭＥが接続される各Ｅ−ＳＭＬＣ／ＳＬＰに更に転送する。そのような複数のメッセージが必要とされる場合があるときの一例が、ＭＯＣＮ（マルチオペレータコアネットワーク）アーキテクチャを用いてＲＡＮ共有が用いられるとき、すなわち、ＥＰＣが共有されないときである。
ＬＰＰａメッセージは、既存のメッセージ、アップリンク非ＵＥ関連ＬＰＰＡトランスポートをＳ１−ＭＭＥを介して、及びＬＣＳ−ＡＰコネクションレス情報メッセージをＳＬを介して、コンテナとして送信することができる。
上記の方法は汎用性を有することができ、すなわち、モバイルに限らず使用することができ、ＤｅＮＢは、サービングされるセルリスト内のあらゆる変更をＥ−ＳＭＬＣ／ＳＬＰに報告する。
方法１．３．２：その手順はＥ−ＳＭＬＣによって開始することができる（図２３を参照）。
各Ｅ−ＳＭＬＣは、各ｅＮＢに、その制御下にある任意の移動セルについての情報を報告するように、新たなＬＰＰａメッセージ、例えば、移動セル情報要求を用いて求めることができる。
新たなメッセージ、例えば、移動セル情報応答は、Ｅ−ＳＭＬＣがＭＲＮ自体のＵＥ位置決めを実行できるようにするために各ＭＲＮのＵＥ  ＩＤ（例えば、ＩＭＳＩ）と、そのＭＲＮの制御下にあるセルのリスト（例えば、Ｅ−ＣＧＩ）とを含む必要がある。
その後、ＭＲＮが、その制御下に入るか、又はその制御から離れるたびに、ＤｅＮＢは更新された移動セル情報をＥ−ＳＭＬＣ／ＳＬＰに送信することができる。これは、初期応答メッセージ、例えば、移動セル情報応答を再利用することもできるし、この目的のための特有のメッセージ、例えば、移動セル情報更新を有することもできる。
これらの新たなＬＰＰａメッセージは、既存のメッセージ、アップリンク非ＵＥ関連ＬＰＰＡトランスポート及びダウンリンク非ＵＥ関連ＬＰＰＡトランスポートをＳ１−ＭＭＥを介して、並びにＬＣＳ−ＡＰコネクションレス情報メッセージをＳＬを介して、コンテナとして送信することができる。
方法１．３．１に関して、上記の方法は汎用性を有することができ、すなわち、モバイルに限らず使用することができ、ＤｅＮＢは、サービングされるセルリスト内のあらゆる変更をＥ−ＳＭＬＣ／ＳＬＰに報告する。
【０１８５】
○方法１．４：Ｅ−ＳＭＬＣ／ＳＬＰが、ＵＥのための位置決め要求を実行するように求められるとき、Ｅ−ＳＭＬＣ／ＳＬＰは、ＵＥによって報告される情報に基づいて、そのＵＥが実際にはＭＲＮであることを発見する。
このＵＥを位置決めするためのＬＣＳクライアントによる要求に基づいて、Ｅ−ＳＭＬＣ／ＳＬＰは、通常のＵＥ位置決めを開始することになり、その最中に、ＵＥは、自らがＭＲＮとしての役割を果たしていることをＥ−ＳＭＬＣ／ＳＬＰに通知することになる。
図２４に示されるシーケンスは、通常のＵＥを位置決めするシーケンスと同一であるが、以下の点を除く：
・ＭＲＮはＥ−ＳＭＬＣ／ＳＬＰに付加情報を与えることができる。例えば、
・そのＵＥが通常のＵＥではなくＭＲＮであることを指示する。
○ＬＰＰメッセージ、例えば、「機能提供」内に或る形態の「ＭＲＮ指示」を含む。
・ＭＲＮのセル（複数の場合もある）
○ＭＲＮのセル（複数の場合もある）、すなわち、例えば、「機能提供」のようなＬＰＰメッセージ内に、セルの識別子、例えば、Ｅ−ＣＧＩを含む。
【０１８６】
（２）の場合、すなわち、Ｅ−ＳＭＬＣ／ＳＬＰが移動セルの現在の場所をいかに知ることになるかに関して、以下のオプションがある。
【０１８７】
○方法１．５：ＭＲＮのための位置決め要求をＥ−ＳＭＬＣ／ＳＬＰ自体によって開始することができる、すなわち、Ｅ−ＳＭＬＣ／ＳＬＰが、ＵＥとしてのＭＲＮに対して、ＬＣＳクライアント及びＬＣＳサーバの両方としての役割を果たすことになる。
通常のＵＥ位置決めを用いて、ＭＲＮ（ＵＥ自体としての役割を担う）の位置を特定することができ、すなわち、ＯＴＤＯＡ方法、Ｅ−ＣＩＤ方法及びＡ−ＧＮＳＳ方法は全て、ＭＲＮの位置を判定するのに用いることができる。
図２５に示されるシーケンスは、通常のＵＥを位置決めするシーケンスと同一であるが、以下の点を除く：
・Ｅ−ＳＭＬＣ／ＳＬＰが位置決め要求を開始している、及び
・ＭＲＮが、Ｅ−ＳＭＬＣ／ＳＬＰに、方法１．４において言及されるような付加情報、例えば、ＭＲＮが制御するセルのリストを与えることができる。これは、例えば、ＭＲＮが複数のセルを制御するが、Ｅ−ＳＭＬＣ／ＳＬＰがそれらのセルのうちの１つしか認識していない場合に、有用とすることができる。
【０１８８】
○方法１．６：ＭＲＮのための位置決め要求を、ＭＲＮ自体、又はそのＤｅＮＢのいずれかによって自律的に開始することができる。
・上記のように、通常のＵＥ位置決めを用いて、ＭＲＮ（ＵＥ自体としての役割を担う）の位置を特定することができ、すなわち、ＯＴＤＯＡ方法、Ｅ−ＣＩＤ方法及びＡ−ＧＮＳＳ方法は全て、ＭＲＮの位置を判定するのに用いることができる。
・ＭＲＮは、ＲＮ起動を実行すると直ちに位置決めを開始することができる。ＤｅＮＢは、ＭＲＮがそのセルに接続されると直ちに、そのＭＲＮに関する位置決めを開始することができる。
・現在の移動セルの場所に応じて各Ｅ−ＳＭＬＣ／ＳＬＰを絶えず更新するための新たな手順が要求されることになる。
・図２６のステップ１、２及び３は、位置特定要求がＭＲＮ又はＤｅＮＢによって開始されたことを除いて、図２５に示されるものと同じである。
・ステップ４において、新たな場所が、ＭＭＥを介して、そのＭＭＥがアタッチされた各Ｅ−ＳＭＬＣ／ＳＬＰに通知される。この情報は、タイムスタンプ、速さ及び進行方向を含む現在の地理的座標、並びにＭＲＮ又はＤｅＮＢにとって既知である場合には、更なる所定の経路情報のような情報を含むことができる。
・Ｅ−ＳＭＬＣ／ＳＬＰをＭＲＮの場所に関して最新にしておくために、ステップ５、６及び７は、定期的な場所報告のためのステップ２、３及び４の繰り返しである。
・１つのＥ−ＳＭＬＣ／ＳＬＰだけが各ＭＭＥに接続される場合には、（ａ）Ｅ−ＳＭＬＣ／ＳＬＰに基づく位置特定計算が実行され、かつ（ｂ）Ｅ−ＳＭＬＣ／ＳＬＰが、ＭＲＮに関して計算するように求められた現在の位置特定情報を保持するなら（これは、Ｅ−ＳＭＬＣ／ＳＬＰが上記の（１）から関連するＵＥ  ＩＤがわかるので、可能とすることができる）、ステップ４及び７は必要とされない場合があることに留意されたい。
【０１８９】
Ｅ−ＳＭＬＣ／ＳＬＰが移動セルについての情報を有するとき、Ｅ−ＳＭＬＣ／ＳＬＰは、その移動セルによってサービングされるＵＥに関して最も適した位置決め方法を選択することができる。例えば、移動セルによってサービングされるＵＥの場合、Ｅ−ＳＭＬＣ／ＳＬＰは、移動セルの位置がＵＥの位置を特定するのに十分であると判断することができ、それゆえ、そのＵＥに関して、構成されたセルｉｄの変更を報告するだけで、Ｅ−ＣＩＤ位置決めのみを用いることができる。
【０１９０】
解決策２：ＭＲＮがＵＥの代わりに、ＭＲＮがサービングしているＵＥを位置決めする。
方法２．１：ＭＲＮが、自らがサービングするＵＥのための全ての位置決め要求を傍受し、代わりに自らを位置決めする（図２７を参照）。これは、ＭＲＮが、自らがサービングするＵＥのためのＬＰＰプロトコルを終了することを意味する。
【０１９１】
解決策３：Ｅ−ＣＩＤ及びＯＴＤＯＡが移動中継に関してサポートされない。
この解決策の場合、移動中継に関して、Ｅ−ＣＩＤ及びＯＴＤＯＡ位置決め方法がサポートされないことになる。
【０１９２】
これは、Ｅ−ＳＭＬＣ／ＳＬＰが移動セルの移動の知識を必要とする複雑さを回避する。しかしながら、このオプションは、ＵＥ位置決めのためにＡ−ＧＮＳＳのみが利用可能であることを意味する。衛星受信が不良であると、これが列車車両内のＵＥにとって問題になるおそれがある。
【０１９３】
Ｅ−ＳＭＬＣ／ＳＬＰが、どのセルがモバイルであるかを知っている場合を除いて、これらの方法のためのＬＰＰ又はＬＰＰａ手順を依然として開始する場合がある。このため、Ｅ−ＳＭＬＣ／ＳＬＰは、どのセルがモバイルであるかを知る必要がある。本文書において上記で記載された解決策１の場合のオプションと類似する同様のオプションは以下の通りである。
【０１９４】
○方法３．１：Ｅ−ＳＭＬＣ／ＳＬＰがＥ−ＣＩＤ測定開始を要求するとき、その要求は、このセルがモバイルであることをＥ−ＳＭＬＣ／ＳＬＰに通知する、新たな具体的な失敗理由（例えば、「セルがモバイルである」）を伴うＬＰＰａ：Ｅ−ＣＩＤ測定開始失敗が送信されることで、失敗する。
同様に、Ｅ−ＳＭＬＣ／ＳＬＰがＯＴＤＯＡ情報を要求するとき、その応答メッセージは、移動セルをＥ−ＳＭＬＣ／ＳＬＰに通知する。応答メッセージは以下のいずれかとすることができる。
−移動セルのための新たなＩＥ、例えば、「移動セル指示」を含むことになる、ＬＰＰａ：ＯＴＤＯＡ情報応答。そのようなＩＥが設定された場合には、他の要求されたＯＴＤＯＡ関連ＩＥは、存在しない。
−例えば、報告する全てのセルがモバイルであるときの、ＬＰＰａ：ＯＴＤＯＡ情報失敗。この場合、新たな理由意義、例えば、「全セルがモバイルである」を用いることができる（図２８を参照）。
【０１９５】
○方法３．２：そのセルがモバイルであるという指示を、Ｏ＆Ｍ又はＥ−ＵＴＲＡＮの外部にある他の機構を通してＥ−ＳＭＬＣ／ＳＬＰに送達することができる。
・Ｅ−ＳＭＬＣ／ＳＬＰが、リリース１０における類似の既存の機構を介して、セルの地理的座標を既に判定することができる。
・そのセルがモバイルであるという指示は、例えば、移動中継セルのために明確に予約された範囲に属するＰＣＩを用いることによって、直接パラメータ又は間接パラメータとすることができる。
【０１９６】
○方法３．３：ＬＰＰａプロトコルを用いて、Ｅ−ＳＭＬＣ／ＳＬＰとｅＮＢとの間に新たな手順、例えば、移動セル情報交換が導入される。
方法３．３．１：その手順はＤｅＮＢによって開始することができる（図２９を参照）。
ＤｅＮＢにアタッチされたＭＲＮによってサービングされる移動セルのリストに変更があるたびに（例えば、ＭＲＮがＤｅＮＢのサービスに入るか、又はＤｅＮＢのサービスから離れる）、ＤｅＮＢは、移動セルのリスト（例えば、Ｅ−ＣＧＩのリスト）を含む、新たなＬＰＰａメッセージ、例えば、移動セル情報を各Ｅ−ＳＭＬＣに送信することができる。
新たなメッセージは、ＤｅＮＢから、アタッチされた各ＭＭＥに送信することができ、ＭＭＥは、そのメッセージを、ＭＭＥが接続される各Ｅ−ＳＭＬＣ／ＳＬＰに更に転送する。
ＬＰＰａメッセージは、既存のメッセージ、アップリンク非ＵＥ関連ＬＰＰＡトランスポートをＳ１−ＭＭＥを介して、及びＬＣＳ−ＡＰコネクションレス情報メッセージをＳＬを介してコンテナとして送信することができる。
方法３．３．２：その手順はＥ−ＳＭＬＣによって開始することができる（図３０を参照）：
各Ｅ−ＳＭＬＣは、各ｅＮＢに、その制御下にある任意の移動セルについての情報を報告するように、新たなＬＰＰａメッセージ、例えば、移動セル情報要求を用いて求めることができる。
その後、ＤｅＮＢは、ＭＲＮがその制御下に入るか、又はその制御から離れるたびに、更新された移動セル情報をＥ−ＳＭＬＣ／ＳＬＰに送信することができる。これは、初期応答メッセージ、例えば、移動セル情報応答を再利用することもできるし、この目的のために特有のメッセージ、例えば、移動セル情報更新を有することもできる。
これらの新たなＬＰＰａメッセージは、既存のメッセージ、アップリンク非ＵＥ関連ＬＰＰＡトランスポート及びダウンリンク非ＵＥ関連ＬＰＰＡトランスポートをＳ１−ＭＭＥを介して、及びＬＣＳ−ＡＰコネクションレス情報メッセージをＳＬを介してコンテナとして送信することができる。
【０１９７】
参考文献
［１］3GPP TS 36.305 (V10.3.0); Stage 2 functional specification of User Equipment (UE) positioning in E-UTRAN
［２］3GPP TS 22.071 (V10.0.0); Location Services (LCS); Service description; Stage 1
［３］3GPP TS 36.300 (V10.8.0); Evolved Universal Terrestrial Radio Access (E-UTRA) and Evolved Universal Terrestrial Radio Access Network (E-UTRAN); Overall description; Stage 2
［４］3GPP TS 36.355 (V10.5.0); LTE Positioning Protocol
［５］3GPP TS 36.455 (V10.3.0), LTE Positioning Protocol A (LPPa)
［６］3GPP TS 36.413 (V10.6.0), S1 Application Protocol (S1AP)
【０１９８】
この出願は、２０１２年７月５日に出願された英国特許出願第１２１１９９８．８号を基礎とする優先権を主張し、その開示の全てをここに取り込む。
【図１】
0005988063.tif 000003
【図２】
0005988063.tif 000004
【図３】
0005988063.tif 000005
【図４】
0005988063.tif 000006
【図５】
0005988063.tif 000007
【図６】
0005988063.tif 000008
【図７ａ】
0005988063.tif 000009
【図７ｂ】
0005988063.tif 000010
【図７ｃ】
0005988063.tif 000011
【図７ｄ】
0005988063.tif 000012
【図８】
0005988063.tif 000013
【図９ａ】
0005988063.tif 000014
【図９ｂ】
0005988063.tif 000015
【図１０】
0005988063.tif 000016
【図１１】
0005988063.tif 000017
【図１２】
0005988063.tif 000018
【図１３ａ】
0005988063.tif 000019
【図１３ｂ】
0005988063.tif 000020
【図１４】
0005988063.tif 000021
【図１５】
0005988063.tif 000022
【図１６】
0005988063.tif 000023
【図１７】
0005988063.tif 000024
【図１８】
0005988063.tif 000025
【図１９】
0005988063.tif 000026
【図２０】
0005988063.tif 000027
【図２１】
0005988063.tif 000028
【図２２】
0005988063.tif 000029
【図２３】
0005988063.tif 000030
【図２４】
0005988063.tif 000031
【図２５】
0005988063.tif 000032
【図２６】
0005988063.tif 000033
【図２７】
0005988063.tif 000034
【図２８】
0005988063.tif 000035
【図２９】
0005988063.tif 000036
【図３０】
0005988063.tif 000037